(57)【要約】感圧接着剤物品および方法であって、特に皮膚または同様のデリケートな表面に粘着させるために使用するのに好適な引張除去可能な粘着剤物品。この物品には、剥離特性を調節するための先細にした末端部分を含む。引張除去可能な感圧接着剤を選択することにより、その物品の引張による除去性が生じるのが好ましい。この物品および方法のいくつかの実施形態においては、除去に際して、粘着剤および支持体が層剥離する。この物品および方法のその他の実施形態においては、その支持体には、支持体の中央部分に位置する予め形成されたタブが含まれる。
2005507270.tif 000002
【特許請求の範囲】
【請求項１】
中央部分から外側に向けて延在する複数の末端部分を有し、該複数の末端部分の各々の末端部分が、前記中央部分から離れて位置する先端に向けて先細になっており、前記複数の末端部分の各々の末端部分が、前記先端に続く２つの縁部を有し、それら２つの縁部が約９０度以下の夾角を形成している支持体と、
前記支持体の上に配置された引張除去可能な感圧接着剤層と、
を備える医療用物品。
【請求項２】
前記複数の末端部分の各々の末端部分の前記２つの縁部によって形成される前記夾角が、約３０度以上である、請求項１に記載の医療用物品。
【請求項３】
前記複数の末端部分の各々の末端部分の前記２つの縁部が、２つの直線状の縁部を有する、請求項１に記載の医療用物品。
【請求項４】
前記複数の末端部分の各々の末端部分の前記先端が、丸みのある先端を有する、請求項１に記載の医療用物品。
【請求項５】
前記複数の末端部分の各々の末端部分が、脚部分によって前記中央部分に連結されている、請求項１に記載の医療用物品。
【請求項６】
前記脚部分が、前記末端部分の最大幅に等しい脚部分幅を有する、請求項５に記載の医療用物品。
【請求項７】
前記複数の末端部分の各々の末端部分が、該末端部分と前記脚部分との間の連結部の位置で最大幅を有する、請求項５に記載の医療用物品。
【請求項８】
前記複数の末端部分が１対だけの両側の末端部分を含み、各対の両側の末端部分は、前記中央部分を挟んだ反対側に位置しかつ該対を成す両側の末端部分の前記先端を通って延在する共通軸線に沿って整列する２つの末端部分を含む、請求項１に記載の医療用物品。
【請求項９】
前記複数の末端部分が２対以上の両側の末端部分を含み、各対の両側の末端部分は、前記中央部分を挟んだ反対側に位置しかつ該対を成す両側の末端部分の前記先端を通って延在する共通軸線に沿って整列する２つの末端部分を含み、前記２対以上の両側の末端部分の前記共通軸線が、互いに並んでいる、請求項１に記載の医療用物品。
【請求項１０】
前記複数の末端部分が２対だけの両側の末端部分を含み、各対の両側の末端部分は、前記中央部分を挟んだ反対側に位置しかつ該対を成す両側の末端部分の前記先端を通って延在する共通軸線に沿って整列する２つの末端部分を含み、前記２対の両側の末端部分の前記共通軸線が、前記支持体の前記中央部分の中で互いに交差している、請求項１に記載の医療用物品。
【請求項１１】
前記共通軸線同士が実質的に直交している、請求項１０に記載の医療用物品。
【請求項１２】
前記支持体の前記中央部分の中に位置する予め形成されたタブをさらに備える、請求項１に記載の医療用物品。
【請求項１３】
前記支持体の前記中央部分の中に位置する予め形成されたタブをさらに備え、該予め形成されたタブが、前記支持体の中に折曲部を有する、請求項１に記載の医療用物品。
【請求項１４】
前記支持体の前記中央部分の中に位置する予め形成されたタブをさらに備え、該予め形成されたタブが、前記支持体の中に折曲部を有し、該折曲部が、引張除去可能な感圧接着剤層の一部を含む、請求項１に記載の医療用物品。
【請求項１５】
前記支持体の前記中央部分の中に位置する予め形成されたタブをさらに備え、該予め形成されたタブが、前記支持体の中に折曲部を有し、該折曲部が前記支持体に固定されている、請求項１に記載の医療用物品。
【請求項１６】
前記複数の末端部分が、前記中央部分を挟んだ反対側に位置しかつ前記対を成す両側の末端部分の前記先端を通って延在する共通軸線に沿って整列する１対だけの両側の末端部分を含み、
前記医療用物品は、前記支持体の前記中央部分の中に位置する予め形成されたタブをさらに備え、該予め形成されたタブが、前記支持体の中に折曲部を有し、該折曲部が、前記対を成す両側の末端部分の前記共通軸線と交差する折曲軸線を形成する、
請求項１に記載の医療用物品。
【請求項１７】
前記折曲軸線が前記共通軸線と直交する、請求項１６に記載の医療用物品。
【請求項１８】
前記複数の末端部分が２対以上の両側の末端部分を含み、各対の両側の末端部分は、前記中央部分を挟んだ反対側に位置しかつ前記対を成す両側の末端部分の前記先端を通って延在する共通軸線に沿って整列する２つの末端部分を含み、
前記医療用物品が、前記支持体の前記中央部分の中に位置する予め形成されたタブをさらに備え、該予め形成されたタブが、前記支持体の中に折曲部を有し、該折曲部が、前記２対以上の両側の末端部分の各対の前記共通軸線と交差する折曲軸線を形成する、
請求項１に記載の医療用物品。
【請求項１９】
前記引張除去可能な接着剤層の破断伸びが少なくとも約３００％である、請求項１に記載の医療用物品。
【請求項２０】
前記引張除去可能な接着剤層の破断伸びが約８００％以下である、請求項１に記載の医療用物品。
【請求項２１】
中央部分から外側に向けて延在する複数の末端部分を有する支持体であって、該複数の末端部分の各々の末端部分が、前記中央部分から離れて位置する先端に向けて先細になっており、前記複数の末端部分の各々の末端部分が、前記先端に続く２つの縁部を有し、それら２つの縁部が約９０度以下の夾角を形成し、それら２つの縁部により形成される前記夾角が約３０度以上である支持体と、
前記支持体の上に配置された引張除去可能な感圧接着剤層と、
前記支持体の前記中央部分の中に位置する予め形成されたタブであって、前記支持体の中に折曲部を有し、該折曲部が前記支持体に固定されているタブとを備え、
前記複数の末端部分が１対以上の両側の末端部分を含み、各対の両側の末端部分は、前記中央部分を挟んだ反対側に位置しかつ該対を成す両側の末端部分の前記先端を通って延在する共通軸線に沿って整列する２つの末端部分を含む、
医療用物品。
【請求項２２】
中央部分から外側に向けて延在する複数の末端部分を有する支持体と、
前記支持体の上に配置された引張除去可能な感圧接着剤層とを備え、
前記複数の末端部分の各々の末端部分が、長手方向軸線と、該長手方向軸線に沿って前記支持体の前記中央部分から離れて位置する先端と、該長手方向軸線に対して垂直方向に測定した最大幅とを有し、
前記複数の末端部分の各々の末端部分が前記先端に向けて先細になっており、それによって、前記複数の末端部分の各々の末端部分が、前記先端から前記長手方向軸線に沿って前記中央部分に向けて５ミリメートルのセットバック距離で測定したセットバック幅を有し、該セットバック幅が、該長手方向軸線に対して垂直方向に測定したときに、約１０ミリメートル以下であり、かつ該セットバック幅が、該長手方向軸線に対して垂直方向に測定したときに、約２．５ミリメートル以上である、
医療用物品。
【請求項２３】
前記セットバック幅が、前記長手方向軸線に対して垂直方向に測定したときに約６ミリメートル以上であり、該セットバック幅が、前記長手方向軸線に対して垂直方向に測定したときに約８ミリメートル以下である、請求項２２に記載の医療用物品。
【請求項２４】
前記複数の末端部分の各々の末端部分が、脚部分によって前記支持体の前記中央部分に連結されており、前記複数の末端部分の各々の末端部分の最大幅が、前記末端部分と前記脚部分との間の連結部に位置している、請求項２２に記載の医療用物品。
【請求項２５】
前記複数の末端部分の各々の末端部分が、前記先端に続く２つの直線状の縁部を有する、請求項２２に記載の医療用物品。
【請求項２６】
前記複数の末端部分の各々の末端部分の前記先端が、丸みのある先端を有する、請求項２２に記載の医療用物品。
【請求項２７】
前記複数の末端部分が１対だけの両側の末端部分を含み、該対を成す両側の末端部分が、前記中央部分を挟んだ反対側に位置しかつ該対を成す両側の末端部分の前記先端を通って延在する共通軸線に沿って整列する２つの末端部分を含む、請求項２２に記載の医療用物品。
【請求項２８】
前記複数の末端部分が２対以上の両側の末端部分を含み、各対の両側の末端部分が、前記中央部分を挟んだ反対側に位置しかつ該対を成す両側の末端部分の前記先端を通って延在する共通軸線に沿って整列する２つの末端部分を含み、前記２対以上の両側の末端部分の前記共通軸線が、互いに並んでいる、請求項２２に記載の医療用物品。
【請求項２９】
前記複数の末端部分が２対の両側の末端部分を含み、各対の両側の末端部分が、前記中央部分を挟んだ反対側に位置しかつ該両側の末端部分の前記先端を通って延在する共通軸線に沿って整列する２つの末端部分を含み、前記２対の両側の末端部分の前記共通軸線が、前記支持体の前記中央部分の中で互いに交差している、請求項２２に記載の医療用物品。
【請求項３０】
前記共通軸線同士が実質的に直交している、請求項２９に記載の医療用物品。
【請求項３１】
中央部分から外側に向けて延在する少なくとも第１および第２の末端部分を有する支持体と、
前記支持体の上に配置された引張除去可能な感圧接着剤層とを備え、
複数の末端部分の各々の末端部分が、長手方向軸線と、該長手方向軸線に沿って前記支持体の前記中央部分から離れて位置する先端と、該長手方向軸線に対して垂直方向に測定した最大幅とを有し、
前記複数の末端部分の各々の末端部分が前記先端に向けて先細になっており、それによって、該複数の末端部分の各々の末端部分が、前記先端から前記長手方向軸線に沿って前記中央部分に向けて、最大幅の２５％であるセットバック距離で測定したセットバック幅を有し、該セットバック幅が、該長手方向軸線に対して垂直方向に測定したときに、該最大幅の約６０％以下であり、かつ該セットバック幅が、該長手方向軸線に対して垂直方向に測定したときに、該最大幅の約１０％以上である、
医療用物品。
【請求項３２】
前記セットバック幅が、前記長手方向軸線に対して垂直方向に測定したときに前記最大幅の約３０％以上であり、前記セットバック幅が、前記長手方向軸線に対して垂直方向に測定したときに前記最大幅の約４５％以下である、請求項３１に記載の医療用物品。
【請求項３３】
前記複数の末端部分の各々の末端部分が、脚部分によって支持体の前記中央部分に連結されており、前記複数の末端部分の各々の末端部分の前記最大幅が、前記末端部分と前記脚部分との間の連結部に位置している、請求項３１に記載の医療用物品。
【請求項３４】
前記複数の末端部分の各々の末端部分が、前記先端に続く２つの直線状の縁部を有する、請求項３１に記載の医療用物品。
【請求項３５】
前記複数の末端部分の各々の末端部分の前記先端が、丸みのある先端を有する、請求項３１に記載の医療用物品。
【請求項３６】
前記複数の末端部分が１対だけの両側の末端部分を含み、該対を成す両側の末端部分が、前記中央部分を挟んだ反対側に位置しかつ該対を成す両側の末端部分の前記先端を通って延在する共通軸線に沿って整列する２つの末端部分を含む、請求項３１に記載の医療用物品。
【請求項３７】
前記複数の末端部分が２対以上の両側の末端部分を含み、各対の両側の末端部分が、前記中央部分を挟んだ反対側に位置しかつ該対を成す両側の末端部分の前記先端を通って延在する共通軸線に沿って整列する２つの末端部分を含み、前記２対以上の両側の末端部分の前記共通軸線が、互いに並んでいる、請求項３１に記載の医療用物品。
【請求項３８】
前記複数の末端部分が２対の両側の末端部分を含み、各対の両側の末端部分が、前記中央部分を挟んだ反対側に位置しかつ該両側の末端部分の前記先端を通って延在する共通軸線に沿って整列する２つの末端部分を含み、前記２対の両側の末端部分の前記共通軸線が、前記支持体の前記中央部分の中で互いに交差している、請求項３１に記載の医療用物品。
【請求項３９】
前記共通軸線同士が実質的に直交している、請求項３８に記載の医療用物品。
【請求項４０】
皮膚から医療用物品を除去する方法であって、
中央部分から外側に向けて延在する複数の末端部分を有し、該複数の末端部分の各々の末端部分が、前記中央部分から離れて位置する先端に向けて先細になっており、該複数の末端部分の各々の末端部分が、前記先端に続く２つの縁部を有し、該２つの縁部が約９０度以下の夾角を形成している支持体と、
前記支持体の上に配置された引張除去可能な感圧接着剤層とを備える医療用物品を、皮膚に粘着した状態で用意することと、
前記中央部分の中で前記医療用物品を掴むことと、
前記中央部分から前記医療用物品を引張って、皮膚から該医療用物品を除去することと、
を含む方法。
【請求項４１】
前記医療用物品が、前記支持体の前記中央部分の中に位置する予め形成されたタブをさらに備え、前記医療用物品を掴むことは、前記予め形成されたタブを掴むことを含み、前記医療用粘着性物品を引張ることは、前記医療用物品を除去するのに充分な量で前記医療用物品を引張るように、前記予め形成されたタブを引くことをさらに含む、請求項４０に記載の方法。
【請求項４２】
前記予め形成されたタブが前記支持体中に折曲部を有し、該予め形成されたタブが基部の折曲線と外側の折曲線とを有し、該予め形成されたタブが該外側の折曲線の近傍で該支持体に固定され、前記方法は、該支持体から該外側の折曲線を剥がした後に、該予め形成されたタブを引くことをさらに含む、請求項４０に記載の方法。
【請求項４３】
皮膚から医療用物品を除去する方法であって、
中央部分から外側に向けて延在する複数の末端部分を有する支持体と、
前記支持体の上に配置された引張除去可能な感圧接着剤層とを備え、
複数の末端部分の各々の末端部分が、長手方向軸線と、該長手方向軸線に沿って前記支持体の前記中央部分から離れて位置する先端と、該長手方向軸線に対して垂直方向に測定した最大幅とを有し、
前記複数の末端部分の各々の末端部分が前記先端に向けて先細になっており、それによって、前記複数の末端部分の各々の末端部分が、前記先端から前記長手方向軸線に沿って中央部分に向けて５ミリメートルのセットバック距離で測定したセットバック幅を有し、該セットバック幅が、該長手方向軸線に対して垂直方向に測定したときに約１０ミリメートル以下であり、かつ該セットバック幅が、該長手方向軸線に対して垂直方向に測定したときに約２．５ミリメートル以上である医療用物品を、皮膚に粘着した状態で用意することと、
前記中央部分の中で前記医療用物品を掴むことと、
前記中央部分から前記医療用物品を引張って、皮膚から該医療用物品を除去することと、
を含む方法。
【請求項４４】
前記医療用物品が、前記支持体の前記中央部分の中に位置する予め形成されたタブをさらに備え、前記医療用物品を掴むことは、前記予め形成されたタブを掴むことを含み、前記医療用粘着性物品を引張ることは、前記医療用物品を除去するのに充分な量で前記医療用物品を引張るように、前記予め形成されたタブを引くことをさらに含む、請求項４３に記載の方法。
【請求項４５】
前記予め形成されたタブが前記支持体中に折曲部を有し、該予め形成されたタブが基部の折曲線と外側の折曲線とを有し、該予め形成されたタブが該外側の折曲線の近傍で該支持体に固定され、前記方法は、該支持体から該外側の折曲線を剥がした後に、該予め形成されたタブを引くことをさらに含む、請求項４３に記載の方法。
【請求項４６】
皮膚から医療用物品を除去する方法であって、
中央部分から外側に向けて延在する少なくとも第１および第２の末端部分を有する支持体と、
前記支持体の上に配置された引張除去可能な感圧接着剤層とを備え、
複数の末端部分の各々の末端部分が、長手方向軸線と、該長手方向軸線に沿って前記支持体の前記中央部分から離れて位置する先端と、該長手方向軸線に対して垂直方向に測定した最大幅とを有し、
前記複数の末端部分の各々の末端部分が前記先端に向けて先細になっており、それによって、該複数の末端部分の各々の末端部分が、前記先端から前記長手方向軸線に沿って前記中央部分に向けて、最大幅の２５％であるセットバック距離で測定したセットバック幅を有し、該セットバック幅が、前記長手方向軸線に対して垂直方向に測定したときに該最大幅の約６０％以下であり、該セットバック幅が、前記長手方向軸線に対して垂直方向に測定したときに該最大幅の約１０％以上である医療用物品を、皮膚に粘着した状態で用意することと、
前記中央部分の中で前記医療用物品を掴むことと、
前記中央部分から前記医療用物品を引張って、皮膚から該医療用物品を除去することと、
を含む方法。
【請求項４７】
前記医療用物品が、前記支持体の前記中央部分の中に位置する予め形成されたタブをさらに備え、前記医療用物品を掴むことは、前記予め形成されたタブを掴むことを含み、前記医療用粘着性物品を引張ることは、前記医療用物品を除去するのに充分な量で前記医療用物品を引張るように、前記予め形成されたタブを引くことをさらに含む、請求項４６に記載の方法。
【請求項４８】
前記予め形成されたタブが前記支持体中に折曲部を有し、該予め形成されたタブが基部の折曲線と外側の折曲線とを有し、該予め形成されたタブが該外側の折曲線の近傍で該支持体に固定され、前記方法は、該支持体から該外側の折曲線を剥がした後に、該予め形成されたタブを引くことをさらに含む、請求項４６に記載の方法。
【請求項４９】
医療用物品を作製する方法であって、
支持体を用意することと、
前記支持体の主表面に引張除去可能な感圧接着剤を取着することと、
中央部分から外側に向けて延在する複数の末端部分を有し、該複数の末端部分の各々の末端部分が該中央部分から離れて位置する先端に向けて先細になっており、該複数の末端部分の各々の末端部分が該先端に続く２つの縁部を有し、該２つの縁部が約９０度以下の夾角を形成している医療用物品を、前記支持体および前記引張除去可能な感圧接着剤層から形成することと、
を含む方法。
【請求項５０】
医療用物品を作製する方法であって、
支持体を用意することと、
前記支持体の主表面に引張除去可能な感圧接着剤を取着することと、
中央部分から外側に向けて延在する複数の末端部分を有し、該複数の末端部分の各々の末端部分が、長手方向軸線と、該長手方向軸線に沿って前記支持体の中央部分から離れて位置する先端と、該長手方向軸線に対して垂直方向に測定した最大幅とを有する医療用物品を、前記支持体および前記引張除去可能な感圧接着剤層から形成することとを含み、
ここで、前記複数の末端部分の各々の末端部分が前記先端に向けて先細になっており、それによって、前記複数の末端部分の各々の末端部分が、前記先端から前記長手方向軸線に沿って前記中央部分に向けて５ミリメートルのセットバック距離で測定したセットバック幅を有し、該セットバック幅が、前記長手方向軸線に対して垂直方向に測定したときに約１０ミリメートル以下であり、かつ該セットバック幅が、前記長手方向軸線に対して垂直方向に測定したときに約２．５ミリメートル以上である、
方法。
【請求項５１】
医療用物品を作製する方法であって、
支持体を用意することと、
前記支持体の主表面に引張除去可能な感圧接着剤を取着することと、
中央部分から外側に向けて延在する複数の末端部分を有し、該複数の末端部分の各々の末端部分が、長手方向軸線と、該長手方向軸線に沿って前記支持体の中央部分から離れて位置する先端と、該長手方向軸線に対して垂直方向に測定した最大幅とを有する医療用物品を、前記支持体および前記引張除去可能な感圧接着剤層から形成することとを含み、
ここで、前記複数の末端部分の各々の末端部分が前記先端に向けて先細になっており、それによって、複数の末端部分の各々の末端部分が、前記先端から前記長手方向軸線に沿って前記中央部分に向けて、最大幅の２５％であるセットバック距離で測定したセットバック幅を有し、該セットバック幅が、前記長手方向軸線に対して垂直方向に測定したときに該最大幅の約６０％以下であり、かつ該セットバック幅が、前記長手方向軸線に対して垂直方向に測定したときに該最大幅の約１０％以上である、
方法。
【発明の詳細な説明】
【技術分野】
【０００１】
本発明は感圧接着剤製品に関し、特に先細にした末端部分を有し、引張除去可能な（ｓｔｒｅｔｃｈ  ｒｅｍｏｖａｂｌｅ）粘着剤物品に関する。好ましくは、そのような物品は、皮膚または同様なデリケートな表面に粘着させるのに使用される。引張による除去性は、引張除去可能な粘着剤、すなわち、充分な内部強度を有していて、たとえ支持体が無くてもそれ自体をつまんで除去することが可能な粘着剤を選択した結果として、あるいは、引張除去可能な支持体、すなわち、引張によって除去するには弱すぎる粘着剤を含む構成を可能とする支持体を選択した結果として、生ずるものである。
【背景技術】
【０００２】
感圧接着性テープおよびその類似物は、皮膚に粘着させる必要があるような各種の広い用途で使用されるが、そのような用途の例を挙げれば、医療用テープ、創傷または外科用ドレッシング、アスレチックテープ、手術用ドレープ、あるいはセンサー、電極、オストミー用具などのような医療用具を粘着させるために使用されるテープやタブなどがある。これら粘着剤コート製品のすべてにおいて当てはまる関心事は、使用目的におけるバランスをとる必要があるということであって、その一方は、感圧接着剤製品が剥がれ落ちないだけの充分に高いレベルの粘着性を備えていることであり、他方は、使用および／または除去時に、その下にある皮膚またはその他のデリケートな表面に与える外傷、損傷または刺激をできるだけ小さくすることである。これらの目標は通常、相反するものである。このような相反する目標のバランスをとろうとして、多くの方法が提案されてきたが、効果的に達成できる製品に対する要望は依然として存在する。
【０００３】
たとえば、高度な引張性と弾性を有し、フィルムで支持した通常粘着性のある感圧接着性テープは、表面の平面に実質的に平行な向きに、長さ方向にテープを引張ることによって表面から簡単に除去できることは知られている。そのようなテープでは、フィルムを引張るにつれて、粘着性能が実質的に消失する。そのようなテープで弾性がありすぎると、引張力を除いたときに大きな戻りがあり、これは望ましいことではない。さらに、弾性の高いテープでは、引張力を除いたときに実質的に元の形状に戻ろうとするので、いたずらを見破ったり、衛生上の目的で使い捨てを保証したりする用途では、使用できない。
【発明の開示】
【発明が解決しようとする課題】
【０００４】
そのような、いわゆる「引張で剥がれる（ｓｔｒｅｔｃｈ  ｒｅｌｅａｓｅ）」または「引張除去可能な（ｓｔｒｅｔｃｈ  ｒｅｍｏｖａｂｌｅ）」粘着剤の構成には、その粘着剤の引張性に典型的にマッチした引張性を有する支持体が用いられる。引張除去のプロセスでは取るに足らないような強度しか持たないように前処理するか／損傷を与えた支持体と、引張除去のプロセスに実質的に充分に耐えられる粘着剤、すなわち引張除去可能な粘着剤とを使用することによって、引張性の異なる別の支持体を使用することもできる。そのような構成の多くは有用ではあるものの、引張除去可能な粘着剤物品、特に、皮膚またはその他のデリケートな表面のような表面から大きな疼痛、外傷、損傷または刺激を与えることなく容易に除去することが可能な粘着剤物品に対する要望は依然として存在する。
【課題を解決するための手段】
【０００５】
本発明は、支持体およびその上に配置された感圧接着剤を含む、引張除去可能な粘着剤物品および方法を提供する。この支持体には、中央部分と、その中央部分から外側に延在している先細にした末端部分とが含まれる。
【０００６】
この先細にした末端部分によって、表面、たとえば、皮膚に対する、物品の剥離性能を調節することができる。そのような調節は、引張除去可能な粘着剤物品を表面から完全に離れるところまで到達させることができるので、特に有用である。基材に対する粘着力が剪断の形で作用しているのがこの地点であって、ある基材、たとえば皮膚およびその他の剪断に敏感な表面への剪断力を抑制することが望ましい。
【０００７】
一態様において本発明は、支持体と、その支持体の上に配置された引張除去可能な感圧接着剤層とを含む医療用物品を提供するものであって、その支持体には、中央部分から外側に向けて延在する複数の末端部分があり、そこで複数の末端部分の各々の末端部分が中央部分から遠位に位置する先端に向けて先細になっていて、そこで複数の末端部分の各々の末端部分には先端に向けて２つの縁部を有していて、この２つの縁部が約９０度以下の夾角を形成している。医療用物品の中央部分をつまみ、引張ることによってその医療用物品を剥離させることを含む、医療用物品の除去方法もまた、含まれる。そのような医療用物品を作製する方法もまた記載される。
【０００８】
別の態様において本発明は、中央部分から外側に向けて延在する複数の末端部分を有する支持体と、その支持体の上に配置された引張除去可能な感圧接着剤層とを含む医療用物品を提供する。複数の末端部分の各々の末端部分には、長手方向の軸線、長手方向の軸線に沿って支持体の中央部分から遠位に位置する先端、および長手方向の軸線に対して垂直に測定した最大幅が含まれる。さらに、複数の末端部分の各々の末端部分が先端に向けて先細になっており、それによって、複数の末端部分の各々の末端部分が、先端から長手方向の軸線に沿って中央部分に向けて５ミリメートルのセットバック距離で測定したセットバック幅を含み、ここで、そのセットバック幅が長手方向の軸線に対して垂直に測定したときに、約１０ミリメートル以下であり、そしてさらに、長手方向の軸線に対して垂直に測定したときに、そのセットバック幅が約２．５ミリメートル以上となっている。医療用物品の中央部分をつまみ、引張ることによってその医療用物品を剥離させることを含む、医療用物品の除去方法もまた含まれる。そのような医療用物品を作製する方法もまた記載される。
【０００９】
別の態様において本発明は、中央部分から外側に向けて延在する複数の末端部分を有する支持体と、その支持体の上に配置された引張除去可能な感圧接着剤層とを含む医療用物品を提供する。複数の末端部分の各々の末端部分には、長手方向の軸線、長手方向の軸線に沿って支持体の中央部分から遠位に位置する先端、および長手方向の軸線に対して垂直に測定した最大幅が含まれる。さらに、複数の末端部分の各々の末端部分が先端に向けて先細になっており、それによって、複数の末端部分の各々の末端部分が、先端から長手方向の軸線に沿って中央部分に向けた最大幅の２５％であるセットバック距離で測定したセットバック幅を含み、ここでそのセットバック幅が、長手方向の軸線に対して垂直に測定したときに、その最大幅の約６０％以下であり、そしてさらに、そのセットバック幅が、長手方向の軸線に対して垂直に測定したときに、その最大幅の約１０％以上となっている。医療用物品の中央部分をつまみ、引張ることによってその医療用物品を剥離させることを含む、医療用物品の除去方法もまた含まれる。そのような医療用物品を作製する方法もまた記載される。
【００１０】
粘着剤そのものが引張除去可能であることが好ましい。その粘着剤が皮膚に対して使用するのに好適なものであり、そしてその粘着剤物品が、たとえば、医療用テープ、創傷または外科用ドレッシング、アスレチックテープ、手術用ドレープ、医療用具たとえばセンサー、電極、オストミー用具などを粘着させるために使用するテープまたはタブなどの医療用物品の形態をとっているのが好ましい。
【００１１】
１つの一般的な実施形態において、この支持体および粘着剤は、皮膚（または同様のデリケートな表面）から除去する際に層剥離するように選択する。典型的かつ好ましくは、これには、同じ引張力をかけたときに、粘着剤層の引張性の方が、支持体の引張性よりも大きくなるように、支持体と粘着剤とを選択することが含まれる。また別の一般的な実施態様においては、この支持体に、支持体の中央部分に位置させた予め形成された（ｐｒｅｄｅｆｉｎｅｄ）タブ（すなわち、ハンドル）を設けておくが、これは、医療用、非医療用を問わず、広い範囲の各種粘着剤物品に使用することができる。
【００１２】
この一般的な実施形態の１つに関してより具体的には、本発明は、除去方法、作製方法、および皮膚から除去する際に層剥離する医療用物品を提供する。１つの除去方法には、支持体とその上に配置された引張除去可能な感圧接着剤層とを含む医療用物品を皮膚に粘着させること、および支持体から粘着剤層を層剥離させるのに充分な程度にその医療用物品を引張して、皮膚からその医療用物品を除去することを含む。好ましくは、この医療用物品を引張ることには、それを粘着させた皮膚の平面に実質的に平行な向きに引張ることを含む。同じ引張力をかけたときに、粘着剤層の破断時伸びの方が、支持体の破断時伸びよりも大きく、好ましくは少なくとも約１０％大きくなるように支持体と粘着剤とを選択することが好ましい。
【００１３】
除去する際に層剥離するように、皮膚から医療用物品を除去するまた別な方法には、支持体とその上に配置された引張除去可能な感圧接着剤層とを含む医療用物品を皮膚に粘着させること、および支持体から粘着剤層を層剥離させるのに充分な程度にその医療用物品を引張して、皮膚からその医療用物品を除去することを含む。この実施態様においては、同じ引張力をかけたときに、粘着剤層の引張性の方が支持体の引張性よりも大きくなるように、支持体と粘着剤とを選択し、引張除去可能な感圧接着剤層が、その感圧接着剤マトリックスの内部に感圧接着剤マトリックスおよび繊維状補強用物質を含み、そしてその粘着剤層が、引張強さが約０．７ＭＰ以上であってかつ降伏強さの少なくとも約１５０％であるような、降伏強さおよび引張強さを有している。
【００１４】
層剥離する医療用物品を除去するまた別な方法には、支持体とその上に配置された引張除去可能な感圧接着剤層とを含む医療用物品を皮膚に粘着させること、および粘着されている皮膚を基準にある方向に引張して、支持体から粘着剤層を充分に層剥離させ、皮膚からその物品を除去することを含む。この実施態様においては、同じ引張力をかけたときに、粘着剤層の引張性の方が、支持体の引張性よりも大きくなるように、支持体と粘着剤とを選択し、その引張除去可能な感圧接着剤層には感圧接着剤マトリックスが含まれるが、そのマトリックスには、アクリル酸イソオクチル、アクリル酸２−エチルヘキシルおよびアクリル酸ｎ−ブチルから選択される少なくとも１種のアルキルエステルモノマーならびにアクリル酸およびアクリルアミドから選択される少なくとも１種のコモノマーから誘導されるポリマー、および感圧接着剤マトリックスの中には繊維状補強用物質が含まれ、そしてその粘着剤層が、引張強さが約０．７ＭＰ以上であってかつ降伏強さの少なくとも約１５０％であるような、降伏強さおよび引張強さを有している。
【００１５】
剥離の際に層剥離する医療用物品を作り、それが支持体とその上に配置された引張除去可能な感圧接着剤層とを含むのが好ましい。この支持体および粘着剤層は、同じ引張力をかけたときに、粘着剤層の引張性の方が、支持体の引張性よりも大きくなるように選択され、皮膚から除去するときに粘着剤層と支持体層が剥離する。層剥離性を向上させるためには、粘着剤層と支持体が別な相を形成している（すなわち、別な層に存在している）のが好ましい。
【００１６】
除去に際して層剥離する物品とするためには、この粘着剤層には広い範囲の各種のポリマーを含むことができるが、そのようなポリマーとしてはたとえば、ポリ（メタ）アクリレート（たとえば、アクリル酸イソオクチル、アクリル酸２−エチルヘキシルおよびアクリル酸ｎ−ブチルから選択された少なくとも１種のアルキルエステルモノマー、ならびにアクリル酸およびアクリルアミドから選択された少なくとも１種のコモノマーから誘導されるポリマー）またはＡ−Ｂ−Ａブロックコポリマーなどが挙げられる。繊維状補強用物質で強化することもできる。この粘着剤層には、感圧接着剤マトリックス、およびその感圧接着剤マトリックスの内部に繊維状補強用物質を含んでいるのが好ましいが、ここでこの粘着剤層が、引張強さが約０．７ＭＰ以上であってかつ降伏強さの少なくとも約１５０％であるような、降伏強さおよび引張強さを有している。
【００１７】
本発明は、上述のように、除去に際して層剥離する医療用物品を作製する方法をさらに提供する。この方法には、支持体を提供する工程と、同じ引張力をかけたときに、支持体の上に配置された粘着剤層の引張性の方が、支持体の引張性よりも大きくなるように、引張除去可能な感圧接着剤を選択する工程と、皮膚から除去するときに粘着剤層と支持体との層剥離を可能とするような、温度と圧力の条件下でその支持体とその感圧接着剤層とを合わせて積層する工程と、が含まれる。
【００１８】
その他の一般的な実施形態に関連して、本発明はまた、除去方法、作製方法、および支持体の上に予め形成されたタブを含む物品を提供する。具体的には、本発明は、予め形成されたタブを有する支持体と、タブのある表面とは反対側の支持体の主表面の上に配置された感圧接着剤層とを含む引張除去可能な粘着剤物品を提供し、ここで、その予め形成されたタブは、支持体の中央部分に位置する。この感圧接着剤は引張除去可能な感圧接着剤であるのが好ましい。同じ引張力をかけたときに、粘着剤層の伸びの方が、支持体の伸びよりも大きくなる、より好ましくは少なくとも約１０％大きくなるように、支持体と粘着剤層とを選択することがより好ましい。
【００１９】
予め形成されたタブを含む物品とするためには、この粘着剤層には広い範囲の各種のポリマーを含むことができるが、そのようなポリマーとしてはたとえば、ポリ（メタ）アクリレート（たとえば、アクリル酸イソオクチル、アクリル酸２−エチルヘキシルおよびアクリル酸ｎ−ブチルから選択された少なくとも１種のアルキルエステルモノマー、ならびにアクリル酸およびアクリルアミドから選択された少なくとも１種のコモノマーから誘導されるポリマー）またはＡ−Ｂ−Ａブロックコポリマーなどが挙げられる。繊維状補強用物質で強化することもできる。この粘着剤層には、感圧接着剤マトリックス、およびその感圧接着剤マトリックスの内部に繊維状補強用物質を含んでいるのが好ましいが、ここでこの粘着剤層が、引張強さが約０．７ＭＰ以上であってかつ降伏強さの少なくとも約１５０％であるような、降伏強さおよび引張強さを有している。
【００２０】
このタブは、広い範囲の各種の形状、サイズとすることができ、また、広い範囲の各種の材料から作ることができる。１つの好ましい実施形態においては、このタブには支持体の一部および粘着剤層の一部が含まれる。また別の好ましい実施形態においては、この支持体には、２つの小片（任意に重ね合わせた小片）が含まれていて、好ましくはそのそれぞれが非粘着性の末端（すなわち、粘着剤の露出していない末端）を有していてそれが、タブを形作っている。
【００２１】
予め形成されたタブを有する物品の好ましい実施形態においては、本発明は、予め形成されたタブを有する支持体とその上に配置された引張除去可能な感圧接着剤層とを含む引張除去可能な粘着剤物品を提供し、ここで、その予め形成されたタブは支持体の中央部分に位置し、さらにここで、その支持体および粘着剤層は、同じ引張力をかけたときに、粘着剤層の引張性の方が、支持体の引張性よりも大きくなるように選択されている。この粘着剤層には、感圧接着剤マトリックス、およびその感圧接着剤マトリックスの内部に繊維状補強用物質を含んでいるのが好ましいが、ここでこの粘着剤層が、引張強さが約０．７ＭＰ以上であってかつ降伏強さの少なくとも約１５０％であるような、降伏強さおよび引張強さを有している。
【００２２】
本発明はまた、予め形成されたタブを有する物品を表面から除去する方法を提供する。この方法には、表面に粘着させた、引張除去可能な粘着剤物品を提供する工程と（ここでその物品には予め形成されたタブを有する支持体とその上に配置された感圧接着剤層とが含まれ、ここでその予め形成されたタブは支持体の中央部分に位置している）、およびそのタブを引っ張って粘着剤物品を充分に引張させてその表面から物品を除去する工程と、が含まれる。この感圧接着剤は引張除去可能な感圧接着剤であるのが好ましい。より好ましくは、この支持体および粘着剤は、同じ引張力をかけたときに、粘着剤層の引張性の方が、支持体の引張性よりも大きくなるように選択する。
【００２３】
医療用物品を作製する方法もまた提供されるが、それには、支持体の中央部分に位置した予め形成されたタブを有する支持体を提供する工程と、およびその予め形成されたタブの面とは反対側の支持体の主表面に、引張除去可能な感圧接着剤を塗布する工程と、が含まれる。この塗布工程には、積層、スプレーコーティングなどが含まれていてよい。
【００２４】
本出願においては、下記の用語は、特に断らない限り、以下のように定義する。
【００２５】
「層剥離（ｄｅｌａｍｉｎａｔｉｏｎ）」または「層剥離する（ｄｅｌａｍｉｎａｔｅ）」するという用語は、粘着剤物品を引張したときに、粘着剤が少なくとも支持体の一部から分かれる（ｓｅｐａｒａｔｅ）（すなわち、分離する（ｄｅｔａｃｈ））ことを意味している。
【００２６】
「弾性がある（ｅｌａｓｔｉｃ）」という用語は、引張された物品がどの程度元に戻るかということを意味する。弾性がある材料とは、少なくとも１方向に引張させた後に少なくとも約５０％までは回復するもの、好ましくは少なくとも約６０％まで、より好ましくは少なくとも約７５％まで、そして最も好ましくは引張させた後に少なくとも約１００％まで回復（すなわち、元の大きさに戻る）ものである。非弾性の（ｉｎｅｌａｓｔｉｃ）または弾性のない（ｎｏｎｅｌａｓｔｉｃ）材料とは、引張させた後に約５０％未満しか回復しないものである。
【００２７】
「引張性（ｓｔｒｅｃｈａｂｉｌｉｔｙ）」という用語は、材料をどれだけ伸長させられるかということを意味する。引張性のある材料とは、その材料を少なくとも１方向に少なくとも約２０％伸長させても破壊しないものである。特に断らない限り、引張性とはその長さ方向への材料の伸びとみなす。非引張性の材料とは、約２０％未満の伸長で破壊してしまうものである。与えられた張力／力での、あるいは破断時のパーセント引張性（または伸び（ｅｌｏｎｇａｔｉｏｎ））は、ＡＳＴＭ  Ｄ３７５９（１９９６）またはＤ５４５９（１９９５）によって作製したプロットを検討することによって測定することができる。
【００２８】
「引張除去可能な（ｓｔｒｅｔｃｈ  ｒｅｍｏｖａｂｌｅ）」という用語は、感圧接着剤または物品を、引っ張ったり伸ばしたりしたときに（好ましくは、基材表面から３０センチメートル／分の速度および４５度以下の角度で）、その基材の表面に大きな損傷（たとえば引き裂き）を与えることなくかつ、基材の上に裸眼目視で見えるような大きな残留物を残さずに、基材表面から分離されることを意味する。
【００２９】
「実質的に連続な（ｓｕｂｓｔａｎｔｉａｌｌｙ  ｃｏｎｔｉｎｕｏｕｓ）」という用語は、少なくとも０．５センチメートルの長さの粘着剤組成物の試料を長さ方向方向にとった場合に、少なくとも５０％の繊維がその試料中で連続である（すなわち、壊れていない）ことを意味する。
【００３０】
「引張強さ（ｔｅｎｓｉｌｅ  ｓｔｒｅｎｇｔｈ）」という用語は、ＡＳＴＭ  Ｄ８８２−９７に従って、クロスヘッド速度１２インチ／分（３０センチメートル／分）で試験したときの、最大破断時引張強さを意味する。
【発明を実施するための最良の形態】
【００３１】
本発明は、引張除去可能な粘着剤物品、特に、その少なくとも１つの主表面に配置された引張除去可能な感圧接着剤層支持体を含む粘着剤物品を提供する。この粘着剤物品は、皮膚またはその他のデリケートな表面に使用してもその皮膚またはその他のデリケートな表面にほとんど損傷を与えることがなく、その表面が皮膚の場合には、その粘着剤物品を除去する際にほとんどまたはまったく痛みがないように設計されているのが好ましい。
【００３２】
引張除去可能なその他の粘着剤物品、そのような物品に使用するための感圧接着剤、およびそのような物品に使用するための支持体は、たとえば、米国特許出願第０９／７６４，５４０号明細書（出願日：２００１年１月１７日、発明の名称：「引張除去可能な粘着剤物品および方法（ＳＴＲＥＴＣＨ  ＲＥＭＯＶＡＢＬＥ  ＡＤＨＥＳＩＶＥ  ＡＲＴＩＣＬＥＳ  ＡＮＤ  ＭＥＴＨＯＤＳ）」）；米国特許出願第０９／７６４，４７８号明細書（出願日：２００１年１月１７日、発明の名称：「感圧接着剤および繊維状補強用物質（ＰＲＥＳＳＵＲＥ  ＳＥＮＳＩＴＩＶＥ  ＡＤＨＥＳＩＶＥＳ  ＡＮＤ  Ａ  ＦＩＢＲＯＵＳ  ＲＥＩＮＦＯＲＣＩＮＧ  ＭＡＴＥＲＩＡＬ）」）；および米国特許出願第０９／８４７，９４２号明細書（本願と同時に出願、発明の名称：「補強用材料を使用した感圧接着剤（ＰＲＥＳＳＵＲＥ  ＳＥＮＳＩＴＩＶＥ  ＡＤＨＥＳＩＶＥＳ  ＷＩＴＨ  Ａ  ＲＥＩＮＦＯＲＣＩＮＧ  ＭＡＴＥＲＩＡＬ）」）、などに開示されている。
【００３３】
そのような粘着剤物品は、好ましくはたとえばガーゼパッドを含むテープ類であって、救急ドレッシング（すなわち、創傷または外科用ドレッシング）として使用される。この粘着剤物品はその他広い範囲の各種の医療用物品の形態でも使用でき、たとえば医療用テープ、アスレチックテープ、手術用ドレープ、またはたとえばセンサー、電極（たとえば米国特許第５，２１５，０８７号明細書（アンダーソン（Ａｎｄｅｒｓｏｎ）ら）および米国特許第６，１７１，９８５号明細書（ジョセフ（Ｊｏｓｅｐｈ）ら）に開示されているようなもの）、オストミー用具などのような医療用具を貼り付けるためのテープもしくはタブが挙げられる。本発明の粘着剤物品は、除去可能ラベル、クーポン、マスキングテープ、おむつの粘着、包装、食品貯蔵容器などに使用されるテープまたはタブなどの形態であってもよい。それらは、いたずらを見破るための用途にも使用でき、具体的には、いったん引張ると、その粘着剤物品が元の形状に戻らないようにする。しかしながら、好ましい実施形態は医療用物品である。
【００３４】
一般的に本発明の粘着剤物品（たとえば、テープ類）は、支持体から粘着剤層の層剥離を伴いまたは伴わずに、または、支持体の中央部分（好ましくはガーゼパッドの上）に位置させた予め形成されたタブを使用することによって、表面から除去するように設計すればよい。このような設計によって、特に医療用物品の領域では著しい進歩が得られるが、その理由は、粘着剤物品（たとえば、バンデージ、テープ）を除去するときに、その下の皮膚に大きな痛みや刺激や損傷を与えることがないからである。
【００３５】
除去させる際に層剥離させたければ、粘着剤の引張性が支持体の引張性よりも大きくなるように、支持体と粘着剤を選択するのが好ましい。粘着剤の破断時伸びが支持体の破断時伸びよりも少なくとも約１０％は大きいのが好ましい。一般的に、従来からの引張除去可能な粘着剤物品では、支持体と引張除去可能な粘着剤は、同時に伸長して効果的に剥離をさせるように選択されていたが、本発明の粘着剤物品では、粘着剤が支持体から層剥離するので、伸びにおけるミスマッチが許容される。
【００３６】
層剥離が望ましいようなこれらの実施形態の場合、粘着剤および支持体を選択するには、各々の引張性と同時に、それら相互間の結合性およびそれらが粘着する相手の表面との結合性の評価をすることが含まれる。すなわち、粘着剤および支持体は、それらが互いに充分な粘着し、それを粘着させた表面からその粘着剤物品を除去するまでは互いに分離することがないように、選択する。引張性は、材料または構造物を、ＡＳＴＭ  Ｄ３７５９（１９９６）またはＤ５４５９（１９９５）に従ってたとえばインストロン（ＩＮＳＴＲＯＮ）測定機を使用し、既知の引張力で破断点に至るまで引張して測定することによって求めることができる。粘着剤（層）の破断時伸びは好ましくは少なくとも約１００％、より好ましくは少なくとも約３００％、そして最も好ましくは少なくとも約４００％である。粘着剤の破断時伸びが約８００％以下であるのが好ましい。
【００３７】
医療用物品としてのたとえば皮膚のような表面に対する本発明の粘着剤物品の初期粘着力は、好ましくは少なくとも約２０グラム／２．５センチメートル（０．８ニュートン／デシメートル）、より好ましくは少なくとも約４０グラム／２．５センチメートル（１．６Ｎ／ｄｍ）である。この評価には、たとえば、「ＰＳＴＣ−１  ピール・アドヒージョン・テスト（Ｐｅｅｌ  Ａｄｈｅｓｉｏｎ  Ｔｅｓｔ）」が使用できるが、これはイリノイ州スコーキー、オールド・オーチャード・ロード５７００（５７００  Ｏｌｄ  Ｏｒｃｈａｒｄ  Ｒｏａｄ、Ｓｋｏｋｉｅ、ＩＬ）にあるプレッシャーセンシティブ・テープ・カウンシル（Ｐｒｅｓｓｕｒｅ−ｓｅｎｓｉｔｉｖｅ  Ｔａｐｅ  Ｃｏｕｎｃｉｌ）のスペシフィケーションズ・アンド・テクニカル・コミッティー（Ｓｐｅｃｉｆｉｃａｔｉｏｎｓ  ａｎｄ  Ｔｅｃｈｎｉｃａｌ  Ｃｏｍｍｉｔｔｅｅ）が作成した試験プロトコールである。
【００３８】
支持体と粘着剤との間の有効粘着力は、ＡＳＴＭ  Ｄ１８７６（１９９５）によって測定することができる。本発明の粘着剤および支持体相互の間の初期粘着力は、好ましくは少なくとも約１０グラム／２．５センチメートル（０．４ニュートン／デシメートル）、より好ましくは少なくとも約２０グラム／２．５センチメートル（０．８Ｎ／ｄｍ）である。この粘着力は、材料の選択だけではなく、積層方法および／またはコーティング方法によっても影響を受ける。たとえば、積層および／またはコーティング条件には、粘着剤層および支持体が別の層（すなわち、相）を保持している場合も含まれる。すなわち、界面に個々の連続層を形成させるために積層工程で粘着剤または支持体の溶融が起きることもなく、また、たとえば不織ウェブ支持体の場合に起きるような、粘着剤が変形して支持体の中に流れ込むということもない。
【００３９】
「層剥離（ｄｅｌａｍｉｎａｔｉｏｎ）」という用語は、粘着剤物品を引張ったときに、粘着剤が少なくとも支持体の一部から分かれる（ｓｅｐａｒａｔｅ）（すなわち、分離する（ｄｅｔａｃｈ））ことを意味している。好ましくは粘着剤が支持体の面積の少なくとも約５０％から分かれる、より好ましくは粘着剤が支持体の面積の少なくとも約６０％から、さらにより好ましくは少なくとも約８０％から、そして最も好ましくは少なくとも約９５％から分かれるが、ここで、その支持体の面積は、その物品が引張されて表面から除去した後に測定したものである。層剥離を達成するためには典型的には、粘着剤の内部（すなわち、構造）強度が、支持体に対する粘着剤の粘着力よりも大きい。層剥離性を向上させるには、たとえば、低圧および／または低温で積層すること、粘着剤物品を調製する際に通常実施される前処理方法（たとえば、コロナ処理）を使用しないこと、支持体と粘着剤層との間に低粘着性の裏糊（ｂａｃｋｓｉｚｅ）を使用すること、支持体を粗面化して支持体と堅い粘着剤との間の接触面積を小さくすること、などの方法が使用できる。
【００４０】
表面から粘着剤物品を除去する際に効果的に層剥離させるためには、粘着剤物品の製造工程における積層温度が、支持体材料または粘着剤層中のどの補強用材料の軟化温度も超えないようにするのが好ましい。典型的には、溶融温度よりは下であるが軟化温度を超えて積層するのは満足できるものではないが、それは、軟化温度より上で拡散と粘着が顕著に増大するからである。たとえば多くのエチレン酢酸ビニル材料では、溶融温度が約６０℃〜約９０℃、軟化温度が約４０℃〜約７５℃である。
【００４１】
一般的に層剥離は、粘着剤物品を（引張る前に）それが粘着している表面の平面に実質的に平行な方向で長さ方向に引張ることによって起きるが、ただしこれが相分離を達成させるための必須条件ではない（すなわち、層剥離は、物品をそれが粘着している表面から約０度〜約９０度の方向へ引いて引張ることによって起こすことができる）。支持体と粘着剤とが、層剥離を可能とするのに充分な程度の相異なる引張性を有しているかどうかを知るための簡単な試験としては、粘着剤構成物の小片（１センチメートル×４センチメートル）を所望の表面、たとえば皮膚、鏡面仕上げのスチールパネルまたはポリプロピレン基材の上に置き、軽く親指で力を加えてこすりつけ、任意に、基材表面への粘着性が強まるよう少し時間（たとえば、約１０分）放置した上で、所望の速度（たとえば、３０または１５２センチメートル／分）および、所望の角度（好ましくは粘着剤が結合している面から約４５度以内の角度、より好ましくは粘着剤が結合している面に実質的に平行な方向で長さ方向に）に引いて引張る。次いでこの構成物を目視により、除去に際して支持体の面積（引張後）の少なくとも一部が粘着剤から分かれているかどうかを調べる。支持体は引張った後で回復しないこともあり得るので、この評価をする際に使用する支持体の面積には、引張除去プロセスの後のものを用いる。
【００４２】
本発明のいくつかの粘着剤物品では、引張除去によって層剥離が起きるかどうかは別にして、支持体には、支持体の中央部分（すなわち、支持体の長さ方向の中央部分の約８０％）に位置する予め形成されたタブが含まれる。タブを有するそのような粘着剤物品は、先に述べたように、各種の広い用途において使用することができる。典型的にはこの粘着剤物品は、タブをつまんで、（引く前に）その物品が粘着されている表面の平面に対して実質的に垂直な方向に引くが、ただし、これがタブを効果的に機能させるために必須であるという訳ではない（すなわち、タブを、それが粘着されている表面から約０度〜約９０度の方向に引くことで、除去することは可能である）。支持体の中央部分にタブ（すなわち、ハンドル）があることによって、典型的には、その粘着剤物品を除去する際に、末端から創傷の上を横切って剥がすときにしばしば起きる、創傷をこするといったことが無い。タブを支持体の中央部分に設けることによって、伸びによる力を粘着剤物品の２つの部分（すなわち、タブの両側の２つの部分）に分散することができれば好ましい。
【００４３】
感圧接着剤
広い範囲の各種の感圧接着剤を、それらが引張除去可能であるか、または引張除去可能な粘着剤物品（すなわち、粘着剤構成物）の一部であるならば、本発明のために使用することができる。先に定義したように、粘着剤そのものが引張除去可能であるのが好ましい。引張除去可能な感圧接着剤は、皮膚に使用するのに適したものであるのが好ましく、たとえば、アクリレートポリマー、天然および合成ゴム、シリコーンポリマー、ポリウレタン、ポリオレフィン、およびポリ（ビニルエーテル）などが挙げられるが、一般論としては文献「医療用粘着剤：皮膚に対して粘着性のある製品の開発のための粘着剤について考察（Ｍｅｄｉｃａｌ  Ａｄｈｅｓｉｖｅｓ：Ａｄｈｅｓｉｖｅ  Ｃｏｎｓｉｄｅｒａｔｉｏｎ  ｆｏｒ  Ｄｅｖｅｌｏｐｉｎｇ  Ｓｔｉｃｋ−ｔｏ−Ｓｋｉｎ  Ｐｒｏｄｕｃｔｓ）」（Ａｄｈｅｓｉｖｅ  Ａｇｅ、２０００年１０月号）に記載されているようなものである。
【００４４】
この感圧接着剤は、感圧接着剤的な性質を有するどのような材料であってもよい。感圧接着剤を見分けるための手段としてよく知られているものに、ダールキスト評価基準（Ｄａｈｌｑｕｉｓｔ  ｃｒｉｔｅｒｉｏｎ）がある。この基準では、その１秒クリープコンプライアンスが１×１０−６ｃｍ２／ダインよりも大きい粘着剤を感圧接着剤として定義するが、これについては、ドナタス・サタス（Ｄｏｎａｔａｓ  Ｓａｔａｓ）（編）、「感圧接着剤技術ハンドブック（Ｈａｎｄｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ）第２版」（ファン・ノストランド・ラインホールド（Ｖａｎ  Ｎｏｒｓｔｒａｎｄ  Ｒｅｉｎｈｏｌｄ）、ニューヨーク州ニューヨーク（Ｎｅｗ  Ｙｏｒｋ、ＮＹ）、１９８９年）第１７２頁に記載されている。別な方法として、１次近似ではモジュラスがクリープコンプライアンスの逆数であるので、感圧接着剤はヤング率が１×１０６ダイン／ｃｍ２未満の粘着剤であると定義することもできる。その他の感圧接着剤を見分ける周知の手段としては、室温において強く永続的な粘着性を有するもので、指または手で押さえる以上の力を必要とせずに各種の異種表面に単に接触させるだけでしっかりと粘着し、そして、「感圧接着性テープの試験方法（Ｔｅｓｔ  Ｍｅｔｈｏｄｓ  ｆｏｒ  Ｐｒｅｓｓｕｒｅ  Ｓｅｎｓｉｔｉｖｅ  Ｔａｐｅｓ）」（Ｐｒｅｓｓｕｒｅ  Ｓｅｎｓｉｔｉｖｅ  Ｔａｐｅ  Ｃｏｕｎｃｉｌ、１９９６年）に記載されているように、平滑な表面からは残分を残さずに除去できるものである。好適な感圧接着剤のまた別の適当な定義は、その室温における貯蔵モジュラスが、２５℃におけるモジュラスと周波数のグラフの上にプロットした以下に記す点によって定義される領域の中に入るものである。すなわち、約０．１ラジアン／秒（０．０１７Ｈｚ）の周波数のときに約２×１０５〜４×１０５ダイン／ｃｍ２の範囲のモジュラス、約１００ラジアン／秒（１７Ｈｚ）の周波数のときに約２×１０６〜８×１０６ダイン／ｃｍ２の範囲のモジュラスの範囲である（たとえば、ドナタス・サタス（Ｄｏｎａｔａｓ  Ｓａｔａｓ）（編）、「感圧接着剤技術ハンドブック（Ｈａｎｄｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ）第２版」（ファン・ノストランド・ラインホールド（Ｖａｎ  Ｎｏｒｓｔｒａｎｄ  Ｒｅｉｎｈｏｌｄ）、ニューヨーク州ニューヨーク（Ｎｅｗ  Ｙｏｒｋ、ＮＹ）、１９８９年）の第１７３頁、図８〜１６参照）。これらの感圧接着剤を見分けるためのどの方法を用いても、本発明の方法において使用するのに好適な感圧接着剤を見分けることができる。
【００４５】
さらに、本発明の粘着剤物品の感圧接着剤層は、単一の感圧接着剤でできていてもよいし、あるいは、２種以上の感圧接着剤の組み合わせであってもよい。好適な粘着剤は、スチレンブロックコポリマーにおけるような、本来的に引張性があるものであるか、あるいは、凝集力および引張性を増加させるために強化したものであってもよい。
【００４６】
本発明の粘着剤物品には、引張除去可能な感圧接着剤の連続層または不連続層（たとえば、多孔質層）が含まれる。これはたとえば、溶媒コーティング、スクリーン印刷、ローラー印刷、溶融スプレー、ストライプコーティング、またはラミネートプロセス、などによって得ることができる。連続的に粘着剤層に穿孔することによっても多孔性とすることも可能である。感圧接着特性、好ましくは引張除去可能な感圧接着特性を有している限りにおいては、粘着剤層は広い範囲の各種の厚みをとることができるが、好ましくは約１０マイクロメートル（すなわちミクロン）〜約１０００マイクロメートルの範囲である。
【００４７】
この感圧接着剤は、結束性で通気性のある繊維質不織粘着性ウェブの形態で、互いに密に絡み合った繊維の形態であってもよい。好適な不織ウェブは、溶融吹き出しミクロ繊維ウェブとして作ることができるが、それに使用する装置については、たとえば、ファン・Ａ・ベンテ（Ｖａｎ  Ａ．Ｗｅｎｔｅ）「超微細熱可塑性繊維（Ｓｕｐｅｒｆｉｎｅ  Ｔｈｅｒｍｏｐｌａｓｔｉｃ  Ｆｉｂｅｒｓ）」（Ｉｎｄｕｓｔｒｉａｌ  Ｅｎｇｉｎｅｅｒｉｎｇ  Ｃｈｅｍｉｓｔｒｙ、第４８巻、第１３４２〜１３４６頁）、ファン・Ａ・ベンテ（Ｖａｎ  Ａ．Ｗｅｎｔｅ）ら「超微細有機繊維の製造（Ｍａｎｕｆａｃｔｕｒｅ  ｏｆ  Ｓｕｐｅｒｆｉｎｅ  Ｏｒｇａｎｉｃ  Ｆｉｂｅｒｓ）」（Ｎａｖａｌ  Ｒｅｓｅａｒｃｈ  Ｌａｂｏｒａｔｏｒｉｅｓ、レポート第４３６４号、発行１９５４年５月２５日）、および米国特許第３，８４９，２４１号明細書（ブチン（Ｂｕｔｉｎ）ら）、同第３，８２５，３７９号明細書（ローカンプ（Ｌｏｈｋａｍｐ）ら）などに記載されている。これらの極微細な繊維は、溶融吹き出し繊維または吹き出しミクロ繊維（ｂｌｏｗｎ  ｍｉｃｒｏｆｉｂｅｒｓ、ＢＭＦ）と呼ばれていて、一般には実質的に連続であって、出口ダイオリフィスと捕集表面（ｃｏｌｌｅｃｔｉｎｇ  ｓｕｒｆａｃｅ）との間で、繊維を運ばせる部分的に乱流とした空気流によって、ミクロ繊維を絡み合わせることによって結束性のウェブを形成させる。その他の従来からの溶融紡糸のタイプのプロセス、たとえば、繊維を形成させた直後に繊維を収束させてウェブとするスパンボンドプロセスなども、粘着剤層を形成させるために使用することができる。一般にこの繊維は、溶融紡糸タイプのプロセスで形成させると、その直径が１００ミクロン以下、好ましくは５０ミクロン以下である。この繊維を、溶融吹き出しプロセスで作るならば、米国特許第５，１７６，９５２号明細書（ジョセフ（Ｊｏｓｅｐｈ）ら）；同第５，２３２，７７０号明細書（ジョセフ（Ｊｏｓｅｐｈ））；同第５，２３８，７３３号明細書（ジョセフ（Ｊｏｓｅｐｈ）ら）；同第５，２５８，２２０号明細書（ジョセフ（Ｊｏｓｅｐｈ））；または同第５，２４８，４５５号明細書（ジョセフ（Ｊｏｓｅｐｈ）ら）の記載にならって製造することができる。この繊維はまた、スパンボンドプロセスによって製造することもでき、それについては、米国特許第５，６９５，８６８号明細書（マコーマック（ＭｃＣｏｒｍａｃｈ））；同第５，３３６，５５２号明細書（ストラック（Ｓｔｒａｃｋ）ら）；同第５，５４５，４６４号明細書（ストークス（Ｓｔｏｋｅｓ））；同第５，３８２，４００号明細書；同第５，５１２，３５８号明細書（ショウヤー（Ｓｈａｗｙｅｒ）ら）；または同第５，４９８，４６３号明細書（マクドワル（ＭｃＤｏｗａｌｌ）ら）に開示されている。
【００４８】
本発明において有用な感圧接着剤としては、天然ゴム、合成ゴム、スチレンブロックコポリマー、ポリビニルエーテル、ポリ（メタ）アクリレート（ポリアクリレートおよびポリメタクリレートの両方を含む）、ポリオレフィン、およびシリコーンなどをベースにしたものを挙げることができる。この感圧接着剤は、本来的に粘着性を有しているのがよい。所望により、感圧接着剤を形成させるためのベース材料に粘着付与剤を加えてもよい。有用な粘着付与剤としては、たとえば、ロジンエステル樹脂、芳香族炭化水素樹脂、脂肪族炭化水素樹脂およびテルペン樹脂などが挙げられる。特定の用途に合わせて添加できるその他の材料としては、たとえば、オイル、可塑剤、抗酸化剤、紫外線（ＵＶ）安定剤、水素化ブチルゴム、顔料、および硬化剤などが挙げられる。
【００４９】
好適な引張可能なブロックコポリマーとしては、粘着性を与えたエラストマーを使用して形成させたものが挙げられるが、ここで好適なエラストマーはＡ−Ｂ−Ａタイプのブロックコポリマーで、ここでＡブロックとＢブロックは線状、放射状またはスター状の配位で配置されている。このＡブロックは、モノアルケニルアレーン（好ましくはポリスチレン）ブロックで形成されていて、その分子量は約４０００〜約５０，０００である。Ａブロック含量は、約１０重量パーセント〜約５０重量パーセントであるのが好ましい。その他の好適なＡブロックを、アルファ−メチルスチレン、ｔ−ブチル−スチレンおよびその他の環アルキル化スチレン、およびそれらの混合物などから形成することができる。Ｂブロックはエラストマー性共役ジエンから形成され、一般にポリイソプレン、ポリブタジエンまたはそれらのコポリマーで、その平均分子量が約５０００〜約５００，０００のものである。このＢブロックのジエンは、水素化されていてもよい。Ｂブロック含量は、ブロックコポリマーの約９０パーセント〜約５０パーセントであるのが好ましい。引張可能なブロックコポリマーのための粘着付与成分は一般に、固形の粘着付与性樹脂、液状の粘着付与剤、可塑剤、またはそれらの混合物である。粘着剤ポリマーに使用される好適な液状の粘着付与剤または可塑剤としては、ナフテンオイル、パラフィンオイル、芳香族オイル、鉱油または低分子量ロジンエステル、ポリテルペン、およびＣ５樹脂などが挙げられる。
【００５０】
好ましい実施形態において、この感圧接着剤は、ポリ（メタ）アクリレートベースのものである（たとえば、ポリメタクリリックまたはポリアクリリック感圧接着剤）。ポリ（メタ）アクリリック感圧接着剤は、たとえば、少なくとも１種のアルキルエステルモノマー、たとえば、アクリル酸イソオクチル、アクリル酸イソノニル、アクリル酸２−メチルブチル、アクリル酸２−エチルヘキシル、およびアクリル酸ｎ−ブチルと、任意成分のコモノマー成分たとえば、（メタ）アクリル酸、酢酸ビニル、Ｎ−ビニルピロリドン、（メタ）アクリレート、（メタ）アクリルアミド、ビニルエステル、フマレート、スチレンマクロマー、またはそれらの組み合わせとから誘導される。このポリ（メタ）アクリリック感圧接着剤は、約０〜約２０重量パーセントのアクリル酸と、約１００重量パーセント〜約８０重量パーセントの、アクリル酸イソオクチル、アクリル酸２−エチルヘキシルまたはアクリル酸ｎ−ブチル組成物の少なくとも１種、好ましくはアクリル酸イソオクチルとから誘導するのが好ましい。本発明の特に好ましい実施形態は、約２重量パーセント〜約１０重量パーセントのアクリル酸、約９０重量パーセント〜約９８重量パーセントのアクリル酸イソオクチル、および約２重量パーセント〜約６重量パーセントのスチレンマクロマーから誘導される。
【００５１】
ポリ（メタ）アクリレート感圧接着剤は、各種のフリーラジカル重合プロセスによって合成できるが、そのようなプロセスとしては、溶液重合、放射線重合、バルク重合、分散重合、乳化重合および懸濁重合プロセスなどを挙げることができる。バルク重合法としては、たとえば、米国特許第４，６１９，９７９号明細書（コトノール（Ｋｏｔｎｏｒ）ら）または同第４，８４３，１３４号明細書（コトノール（Ｋｏｔｎｏｒ）ら）に記載されている連続フリーラジカル重合法、米国特許第５，６３７，６４６号明細書（エリス（Ｅｌｌｉｓ））に記載されているバッチ反応器を使用する実質的には断熱での重合法、および国際特許出願ＷＯ９６／０７５２２（ハマー（Ｈａｍｅｒ）ら）に記載されているパッケージにした予備粘着剤組成物を重合させるための方法、なども使用することができる。
【００５２】
本発明のポリ（メタ）アクリレート感圧接着剤には、通常の添加剤、たとえば、粘着付与剤（ウッドロジン、ポリエステルなど）、可塑剤、流動調節剤、中和剤、安定剤、抗酸化剤、充填剤、着色剤などを加えることができる。（メタ）アクリレートコポリマーを調製するのに使用するモノマーとは共重合できない重合開始剤もまた、重合速度および／または架橋を促進させるために使用することができる。これらの添加剤の組込み量は、感圧接着剤の目的とする性質に材料的に悪影響を及ぼさない量とする。典型的には、これらのシステムにはそれらを、組成物の全量を基準にして約０．０５重量パーセント〜約２５重量パーセントの量で混合することができる。
【００５３】
感圧接着剤を補強するための材料
好ましい実施形態においては、感圧接着剤を補強して、粘着剤の内部強度、したがってその引張性を上げる。このことは、化学的または物理的架橋の利用、より高いガラス転移温度を有する第２のポリマー成分の添加、または非ポリマー系の充填剤（たとえば、炭酸カルシウム、クレー、酸化亜鉛）の添加、または感圧接着剤内への繊維の添加などによって、達成することができる。好適に補強された粘着剤は、国際特許公開ＷＯ９７／２３５７７（ハイデ（Ｈｙｄｅ）ら）およびＷＯ９６／２５４６９（ハイデ（Ｈｙｄｅ）ら）、米国特許第６，０４５，８９５号明細書（ハイデ（Ｈｙｄｅ）ら）、および米国特許出願第０９／７６４，４７８号明細書（発明の名称：「感圧接着剤および繊維状補強用物質（ＰＲＥＳＳＵＲＥ  ＳＥＮＳＩＴＩＶＥ  ＡＤＨＥＳＩＶＥＳ  ＡＮＤ  Ａ  ＦＩＢＲＯＵＳ  ＲＥＩＮＦＯＲＣＩＮＧ  ＭＡＴＥＲＩＡＬ）」、出願日：２００１年１月１７日）に開示されている。
【００５４】
補強された感圧接着剤では、その降伏強さが、ＡＳＴＭ  Ｄ８８２−９７に従い、クロスヘッド速度が１２インチ／分（３０センチメートル／分）で測定したときに約０．１ＭＰａ以上であるのが好ましい。特定の実施形態においては、この降伏強さが、ＡＳＴＭ  Ｄ８８２−９７に従い、クロスヘッド速度が１２インチ／分（３０センチメートル／分）で測定したときに約０．２ＭＰａ以上であるのが好ましい。さらに、この補強された感圧接着剤（すなわち、補強された感圧接着剤組成物）では、ＡＳＴＭ  Ｄ８８２−９７に従い、クロスヘッド速度が１２インチ／分（３０センチメートル／分）で測定したときに、その引張強さが降伏強さの少なくとも約１５０％である。
【００５５】
好ましい補強された感圧接着剤のある種の実施形態においては、ＡＳＴＭ  Ｄ８８２−９７に従い、クロスヘッド速度が１２インチ／分（３０センチメートル／分）で測定したときに、その引張強さが約０．７ＭＰａ以上である。好ましい補強された感圧接着剤の特定の実施形態においては、ＡＳＴＭ  Ｄ８８２−９７に従い、クロスヘッド速度が１２インチ／分（３０センチメートル／分）で測定したときに、その引張強さが約０．８ＭＰａ以上である。この粘着剤組成物は、ＡＳＴＭ  Ｄ８８２−９７に従い、クロスヘッド速度が１２インチ／分（３０センチメートル／分）で測定したときに、引張強さが、感圧接着剤単独での引張強さの少なくとも約２倍大きい。
【００５６】
好ましい実施形態では、ＡＳＴＭ  Ｄ８８２−９７に従い、クロスヘッド速度が１２インチ／分（３０センチメートル／分）で測定したときに、補強された感圧接着剤組成物の破断時伸びが、少なくとも約５０％、好ましく約２００％は超え、さらには約３００％より高くてもよい。いくつかの実施形態において、その破断時伸びは約８００％を超える。
【００５７】
好ましい実施形態においてはさらに、ポリプロピレン基材から１５度〜３５度の間の角度で粘着剤組成物を除去するのに必要な力が、約２０ニュートン／デシメートルよりも小さい。このように除去のための力が小さいために、基材から粘着剤組成物を容易に除去することが可能となる。ある種の実施形態においては、そのような角度で基材から粘着剤組成物を除去するために必要な力は、わずかに約７ニュートン／デシメートルでよい。
【００５８】
感圧接着剤には、各種の補強用材料が使用できる。好ましい実施形態においては、その補強用材料はポリマーである。特定の実施形態においては、その補強用材料はエラストマー性のものである。補強用材料が半晶質のポリマーであるのが好ましい。半晶質のポリマーとは、非晶質領域と結晶質領域の両方を持つものである。多くの特定の実施形態には半晶質のポリマーが含まれるが、そのようなものとしてはたとえば、ポリカプロラクトン（ＰＣＬ）、ポリブテン（ＰＢ）、エチレンと少なくとも１種の他のアルファ−オレフィンモノマーと誘導されるコポリマー（たとえば、ポリ（エチレン−コ−１−アルケン）およびポリ（エチレン−コ−１−アルケン−コ−１−アルケン））、超低密度ポリエチレン（たとえば、ダウケミカル社（Ｄｏｗ  Ｃｈｅｍｉｃａｌ  Ｃｏ．）から市販されているアテイン（ＡＴＴＡＮＥ）４２０２）、線状低密度ポリエチレン（たとえば、エクソン・モービル社（Ｅｘｘｏｎ  Ｍｏｂｉｌ  Ｃｏｒｐ．）から市販されているＬＬ−３００３、ＥＣＤ−１２５、３７７Ｄ６０、３６９Ｇ０９、３６３Ｃ３２、３６１Ｃ３３、３５７Ｃ３２、３５０Ｄ６５、３５０Ｄ６４、３５０Ｄ６０、ＬＬ−３０１３およびＬＬ−３００１）、およびそれらを組み合わせたものなどが挙げられる。
【００５９】
好ましい補強用材料はその降伏強さが約２０ＭＰａ未満のものである。その補強用材料の、降伏強さに対比させた引張強さは、降伏強さの約１５０％であるのが好ましい。これらの数値は、ＡＳＴＭ  Ｄ８８２−９７に従い、クロスヘッド速度が１２インチ／分（３０センチメートル／分）で測定したものである。
【００６０】
この補強用材料は、その融点が粘着剤組成物の使用温度より高いのが好ましい。同様に、この補強用材料の融点は、粘着剤組成物、またはその粘着剤組成物を使用して製造したどのような物品の保存温度より高くなければならない。使用温度および保存温度のいずれもが、感圧接着剤の分解温度を超えてはならない。ある種の実施態様においては、この補強用材料の融点は、少なくとも７０℃である。これらに関連する温度はすべて、示差走査熱量測定（ＤＳＣ）で測定できるものである。
【００６１】
本発明の方法での加工温度における、補強用材料の溶融粘度が感圧接着剤の溶融粘度と近いのが特に望ましい。特定の実施形態においては、加工温度における補強用材料の溶融粘度の感圧接着剤の溶融粘度に対する比が、約３未満、好ましくは約１．５未満である。好ましい実施形態においては、特定の押出しパラメーター（たとえば、剪断速度、スクリュー速度、温度など）に応じて、この比は約０．５〜約１．２の間とする。当業者のよく理解するところであるが、溶融粘度はキャピラリー粘度計を使用して測定することができる。
【００６２】
この補強用材料は混合の間は感圧接着剤の中に相溶しない（すなわち、別な相にとどまっている）のが好ましく、それによって、この補強用材料が感圧接着剤中に実質的に均一に分散（すなわち、分布）されることになる。特定の実施形態においては、混合の間にこの補強用材料は実質的に平均直径が約２０マイクロメートル未満、一般には約１０マイクロメートル未満の球状粒子の形状で存在する。
【００６３】
好ましい実施形態においては、この補強用材料は、粘着剤組成物中で実質的に連続な繊維として存在している。具体的には、本発明の一態様においては、この繊維は、感圧接着剤のマトリックスの長さ方向で少なくとも約０．５センチメートルの間、好ましくは約２〜約５センチメートルの間、より好ましくは約８センチメートルの間は破壊されていない。本発明の他の態様においては、この実質的に連続な繊維の最大直径は一般に、約０．０５マイクロメートル〜約５マイクロメートル、好ましくは約０．１マイクロメートル〜約１マイクロメートルである。本発明のまた別の態様においては、実質的に連続な繊維のアスペクト比（すなわち、長さの直径に対する比）が約１０００より大きい。
【００６４】
そのように補強された感圧接着剤の例については、米国特許出願第０９／７６４，４７８号明細書（発明の名称：「感圧接着剤および繊維状補強用物質（ＰＲＥＳＳＵＲＥ  ＳＥＮＳＩＴＩＶＥ  ＡＤＨＥＳＩＶＥＳ  ＡＮＤ  Ａ  ＦＩＢＲＯＵＳ  ＲＥＩＮＦＯＲＣＩＮＧ  ＭＡＴＥＲＩＡＬ）」、出願日：２００１年１月１７日）にさらに詳しく記載されている。
【００６５】
支持体
広い範囲の各種の材料を、支持体の形成のために使用することができる。この支持体は、引き裂き性はあってもなくても、弾性はあっても非弾性（ｉｎｅｌａｓｔｉｃ）であっても、引張性はあっても非引張性であっても、多孔質であっても非多孔質であってもよい。支持体は、単一層または多層のフィルム、不織フィルム、多孔質フィルム、フォーム状フィルムおよび前述のものの組み合わせの形状をとることができる。支持体はさらに、充填材料、たとえば充填フィルム（たとえば、炭酸カルシウム充填ポリオレフィン）などから調製することもできる。
【００６６】
フィルム支持体は、公知のどのような成膜方法で作製してもよく、そのような方法としては、たとえば、押出し、共押出し、溶媒キャスティング、発泡、不織材料技術など、が挙げられる。支持体は、広い範囲の各種の厚みとすることができるが、ただし、それは加工可能であるための充分な無傷性（ｉｎｔｅｇｒｉｔｙ）を有し、好ましくはタブを形成するかまたはそれにタブを取り付けることが可能であり、その厚みは好ましくは約１０マイクロメートル（すなわち、ミクロン）〜約２５０マイクロメートルとする。
【００６７】
天然または合成繊維から作製したウェブまたはそれらの混合物を使用することもできる。織布または不織布材料を用いることができるが、ほとんど用途では不織布が好ましい。溶融吹き出しまたはスパンボンド技術を採用して、そのような不織ウェブを作製することも可能である。不織ウェブは、ニューヨーク州マセドン（Ｍａｃｅｄｏｎ、ＮＹ）のランド社（Ｒａｎｄｏ  Ｃｏｒｐｏｒａｔｉｏｎ）からのランド・ウェッバー（Ｒａｎｄｏ  Ｗｅｂｂｅｒ）エア・レイ（ａｉｒ−ｌａｙｉｎｇ）機またはカード機を使用して調製することも可能である。
【００６８】
支持体基材が積層の形態をとっている場合には、粘着性バンデージ製品のための吸収剤層（たとえば、ガーゼパッド）などの追加の構成要素を使用することもできる。吸収剤層を使用するならば、それらは典型的には薄く、密着性や形状適合性があり、曲げることが可能で、その物品の有する引張除去可能な特性を妨害しないが、ただし、その吸収剤層には引張性は有っても無くてもよい。
【００６９】
積層の場合には、１層または複数の追加の層があってもよいが、それらは通気性は有しながらも液体不透過性であるフィルムであるのがよい。典型的には、このフィルムは最外層（すなわち、トップ層）とする。フィルム材料の例を挙げれば、ポリウレタン、ポリオレフィン、メタロセンポリオレフィン、ポリエステル、ポリアミド、ポリエーテルエステル、およびＡ−Ｂ−Ａ型のブロックコポリマー、たとえばシェル・ケミカル社（Ｓｈｅｌｌ  Ｃｈｅｍｉｃａｌ  Ｃｏ．）から入手可能なクラトン（ＫＲＡＴＯＮ）コポリマーなどがある。この最外層は、たとえば外部環境から入ってくるような流体を実質的に透過させないフィルムであって、しかも水蒸気は透過させて、この粘着剤物品が（典型的には、少なくとも約５００ｇ／ｍ２／日の水蒸気透過速度（ＭＶＴＲ）を有する）通気性であるのが好ましい。
【００７０】
この支持体には任意に繊維を含めることも可能で、それは吸収性があっても非吸収性であってもよく、そして、典型的にはそれらは非吸水性である。本発明の支持体基材に有用な繊維構造は、多層形態、コーティング形態、および固体均一形態とすることができる。好適な多層繊維は、コアと、ポリオレフィン、ポリエステル、ポリアミドおよびポリウレタンから選択された１種または複数のポリマーからなる外層とを有しているのが好ましい。好適なコーティング繊維は、共有結合させるか、埋め込むか、付着させたコーティングを有するポリマーから作ったコアを有しているのが好ましい。均一繊維は、上記のポリマーのいずれかから作るのが好ましい。それらの繊維は、公知の織り、編み、あるいは不織布技術を用いて支持体の中に組み入れることができる。好適なそのような支持体は、たとえば米国特許第５，６１３，９４２号（ルキャスト（Ｌｕｃａｓｔ）ら）に開示されている。
【００７１】
好ましい実施形態においては、この支持体は、少なくとも１種の感圧接着剤の領域または層と、少なくとも１種の非感圧性接着剤の領域または層とを有する結束性の多成分繊維から形成されるが、これについては、米国特許第６，１０７，２１９号明細書（ジョセフ（Ｊｏｓｅｐｈ）ら）に記載がある。また別の好ましい実施形態においては、この支持体は、テキサス州アービング（Ｉｒｖｉｎｇ、ＴＸ）のキンバリー・クラーク社（Ｋｉｍｂｅｒｌｙ  Ｃｌａｒｋ）から入手可能な溶融吹き出ししたポリプロピレンウェブである。
【００７２】
典型的には、不織布テープ支持体を形成する繊維は、結束性で通気性のある繊維質不織テープ支持体の形態で、他と互いに密に絡み合っている。好適な不織布テープ支持体は、溶融吹き出しミクロ繊維ウェブとして作ることができるが、それに使用する装置については、たとえば、ファン・Ａ・ベンテ（Ｖａｎ  Ａ．Ｗｅｎｔｅ）「超微細熱可塑性繊維（Ｓｕｐｅｒｆｉｎｅ  Ｔｈｅｒｍｏｐｌａｓｔｉｃ  Ｆｉｂｅｒｓ）」（Ｉｎｄｕｓｔｒｉａｌ  Ｅｎｇｉｎｅｅｒｉｎｇ  Ｃｈｅｍｉｓｔｒｙ、第４８巻、第１３４２〜１３４６頁）、ファン・Ａ・ベンテ（Ｖａｎ  Ａ．Ｗｅｎｔｅ）ら「超微細有機繊維の製造（Ｍａｎｕｆａｃｔｕｒｅ  ｏｆ  Ｓｕｐｅｒｆｉｎｅ  Ｏｒｇａｎｉｃ  Ｆｉｂｅｒｓ）」（Ｎａｖａｌ  Ｒｅｓｅａｒｃｈ  Ｌａｂｏｒａｔｏｒｉｅｓ、レポート第４３６４号、発行１９５４年５月２５日）、および米国特許第３，８４９，２４１号明細書（ブチン（Ｂｕｔｉｎ）ら）、同第３，８２５，３７９号明細書（ローカンプ（Ｌｏｈｋａｍｐ））などに記載されている。これらの極微細な繊維は、溶融吹き出し繊維または吹き出しミクロ繊維（ＢＭＦ）と呼ばれていて、一般には実質的に連続であって、出口ダイオリフィスと捕集表面との間で、繊維を運ばせる部分的に乱流とした空気流によって、ミクロ繊維を絡み合わせることによって結束性のウェブを形成させる。その他の従来からの溶融紡糸のタイプのプロセス、たとえば、繊維を形成させた直後に繊維を収束させてウェブとするスパンボンドプロセスなども、本発明の不織布テープ支持体を形成させるために使用することができる。一般にこの繊維は、溶融紡糸タイプのプロセスで形成させると、その直径が１００ミクロン以下、好ましくは５０ミクロン以下である。この多成分繊維を、溶融吹き出しプロセスで作るならば、米国特許第５，１７６，９５２号明細書（ジョセフ（Ｊｏｓｅｐｈ）ら）；同第５，２３２，７７０号明細書（ジョセフ（Ｊｏｓｅｐｈ））；同第５，２３８，７３３号明細書（ジョセフ（Ｊｏｓｅｐｈ）ら）；同第５，２５８，２２０号明細書（ジョセフ（Ｊｏｓｅｐｈ））；または同第５，２４８，４５５号明細書（ジョセフ（Ｊｏｓｅｐｈ）ら）の記載にならって製造することができる。この多成分繊維はまた、スパンボンドプロセスによって製造することもでき、それについては、米国特許第５，６９５，８６８号明細書（マコーマック（ＭｃＣｏｒｍａｃｈ））；同第５，３３６，５５２号明細書（ストラック（Ｓｔｒａｃｋ）ら）；同第５，５４５，４６４号明細書（ストークス（Ｓｔｏｋｅｓ））；同第５，３８２，４００号明細書；同第５，５１２，３５８号明細書（ショウヤー（Ｓｈａｗｙｅｒ）ら）；または同第５，４９８，４６３号明細書（マクドワル（ＭｃＤｏｗａｌｌ）ら）に開示されている。
【００７３】
引張除去可能な粘着剤物品を引張除去可能な粘着剤なしで調製することが可能な本発明の好ましい実施形態では、支持体は米国特許第５，６２９，０７９号明細書（バトルズ（Ｂａｔｔｌｅｓ）ら）に開示されているような弾性のある不織ウェブである。これらの弾性のある不織ウェブには、熱可塑性エラストマーを、微細でランダムに配向した繊維を製造できるダイを通して押し出すことによって形成した、吹き出しミクロ繊維を含んでいる。いくつかの異なった構成のウェブが、本発明の実施形態において使用するのに適している。多層吹き出しミクロ繊維においては、弾性のある不織ウェブには、低モジュラスまたはエラストマー性材料の層と、隣接する熱融合可能な材料の層とを有する、長手方向に層化させた溶融吹き出しミクロ繊維が含まれる。混合吹き出しミクロ繊維においては、弾性のある不織ウェブには、少なくとも異なったタイプの２種の溶融吹き出しミクロ繊維が含まれる。第１のミクロ繊維には低モジュラスまたはエラストマー性の材料が含まれており、第２のミクロ繊維には熱融合性の材料が含まれている。相互に絡み合ったステープルファイバーを有する吹き出しミクロ繊維ウェブ中では、エラストマー性不織ウェブが、エラストマー性吹き出しミクロ繊維と、それよりは大きな直径のステープルファイバーとを使用して製造される。得られたウェブの中のこのエラストマー性ミクロ繊維とステープルファイバーは通常、ランダムに相互に混合して絡み合っている。３つの実施形態はすべて、本発明の引張除去可能な物品、特に、粘着剤が必ずしも引張除去可能である必要がない実施形態において、使用することができる。
【００７４】
本発明の粘着剤物品の支持体に好適な材料の代表例を挙げれば、ポリオレフィン、たとえば、高密度ポリエチレン、低密度ポリエチレン、線状低密度ポリエチレン、および線状超低密度ポリエチレンも含めてポリエチレン、ポリプロピレン、およびポリブチレン；ビニルコポリマー、たとえばポリ塩化ビニル（可塑化および非可塑化の両方）およびポリ酢酸ビニル；オレフィン系コポリマー、たとえばエチレン／メタクリレートコポリマー、エチレン／酢酸ビニルコポリマー、アクリロニトリル−ブタジエン−スチレンコポリマー、およびエチレン／プロピレンコポリマー；アクリリル系ポリマーおよびコポリマー；ポリカプロラクトン；および上記のものの組み合わせなどがある。各種のプラスチック、またはプラスチックとエラストマー性材料の混合物やブレンド物、たとえば、ポリプロピレン／ポリエチレン、ポリウレタン／ポリオレフィン、ポリウレタン／ポリカーボネート、ポリウレタン／ポリエステルなども、使用することができる。さらに、引張性がない各種の材料も、引き裂き性のある支持体や穿孔を有する支持体に使用することができ、そのようなものには、紙や金属も含まれる。支持体に好適な材料としては、溶融吹き出し繊維の形態にした、ポリウレタン、ポリプロピレン、エチレン酢酸ビニル、またはそれらの組み合わせ（たとえば、ブレンド物、混合物など）などが挙げられる。フィルム支持体に好適な材料には、ポリカプロラクトンおよびエチレン／酢酸ビニルコポリマーおよび線状低密度ポリエチレンなどがある。
【００７５】
支持体には穿孔または穴を設けて、多孔性を与えたり、粘着剤物品の除去または層剥離を容易にしたりすることができる。これらの穿孔は、種々な形状（たとえば、円、長方形、楕円）および大きさとすることができ、粘着剤物品を除去するときに破断させたい場所によって、各種の予め定めた位置に設けることができる。たとえば、中央に位置するガーゼパッドの近くで穿孔を支持体に設けることもできるが、それによって、ガーゼパッドを引っ張ると支持体が破れ、パッド／支持体／粘着剤がタブとして働いて、その物品の残りを引張して除去することが可能となる。そのような穿孔は、周知の技術を用いて作ることができる。それらは、物品を引張るまでは、部分的または全面的に埋めたり、閉じたり、覆ってあったりしてもよい。この穿孔は典型的には、粘着剤が穿孔を通過してきて粘着剤を配置されたのとは反対側の表面に粘着性を付与したりすることがないような大きさにする。穿孔は好ましくは少なくとも約０．００２５センチメートル（ｃｍ）の直径、より好ましくは少なくとも約０．０１ｃｍ、そして最も好ましくは、少なくとも約０．０２ｃｍの直径とするのが好ましい。また、この穿孔の直径が約０．０４ｃｍ以下とするのが好ましい。
【００７６】
図１〜３を参照すると、本発明の粘着剤構成（たとえば、テープ）の１０には、支持体１４、およびその少なくとも１つの主表面の上に担持された感圧接着剤層１２を含み、この感圧接着剤層は引張除去可能であるのが好ましい。図１に見られるように、テープ１０は基材１６に粘着されているが、任意の材料であるガーゼパッド１８を含んでいて、たとえば創傷ドレッシングの形態になっている。図１に見られるように、この支持体は、任意に線１９に沿って穿孔されている。所望であれば、この実施形態または本明細書に記載する別の実施形態において、パッド１８の上の粘着剤および／または支持体は必ずしも引張性である必要はない。さらに、このガーゼパッドも引張性があっても、なくてもよい。
【００７７】
図２に見られるように、除去する際に、テープ１０が基材１６の表面に実質的に平行な方向に引張され、粘着剤層１２が伸びて基材１６から引きはがされ、支持体１４の少なくとも一部から層剥離する。粘着剤の構成において支持体１４に穿孔１９が含まれる場合には、穿孔を有する支持体は裂ける（すなわち破れる）ことができる（図２には示さず）。
【００７８】
図３に見られるように、支持体１４がパッド１８の近く（支持体１４で破断している点２０が元々あった位置）に穿孔を有している場合、パッド１８を取り囲むテープ１０の部分（ここには後に詳しく説明するタブがあってもよい）に線Ｆの方向に引張力をかけることによって、この構成物を引張ることでパッド１８の両側で支持体１４を破ることができる（判りやすくするために、粘着剤１２の支持体１４からの層剥離は、破断している点２０以外では示していない）。そのような構成物のまた別の実施態様では、穿孔を有している必要はないが、同様な方法すなわち、支持体の中央部分１４をつまんで物品を引っ張ることで除去することもできる。
【００７９】
所望であれば、その構成物の粘着剤の部分に絵をつけておいて、支持体を破って引っ張ることができることが判るようにしてもよい（図示せず）。
【００８０】
タブ
本発明の支持体には、粘着剤物品（たとえばテープまたは創傷ドレッシング）の除去を容易とするための、つまむための出っ張り、折曲部、輪およびその他の仕組みの形状のタブまたはハンドルを備えていてもよい。そのようなタブを使用すると、粘着剤物品を除去する際に、その端部または中央部を表面から（たとえば指の爪を使って）こじ開ける必要がなくなるというメリットがある。そのようなタブは、支持体の中央部分（すなわち、支持体の長さの中央８０％）に位置するのが好ましく、もしパッド領域があるならばその上に位置するのがより好ましい。
【００８１】
これらのタブは、各種の形状および大きさとすることができる。これらのタブは薄く非常に可撓性の高いフィルムから作り、周りのものに引っかからないようにする。また、支持体の幅に塗布した粘着剤の帯の下に、薄いフィルムまたはひも（ｔｈｒｅａｄ）のリボンを固定することによって、タブを作ることも可能である。さらに、タブを支持体の他の部分から作ることも可能で、たとえば、粘着剤を塗布する前でも後でもよいが製造時に支持体に折曲部を作るだけでもよい。支持体に粘着剤を塗布した後でタブを形成させるのなら、そのタブには粘着剤の一部が含まれていてもよい。あるいは、支持体を２つの小片の形状とすることもでき、任意に端部を重ね合わせ、そのそれぞれに非粘着性部分、すなわち粘着剤が露出していない部分を有する。それらの端部は、粘着剤を付着させないか、または端部ではライナーの小片で粘着剤を覆っておく。
【００８２】
好適な中央に位置させたタブは、創傷ドレッシングを除去する際に特にメリットがあるが、それは除去時の痛みを軽減し、除去の際に創傷部分を傷つけるのを慎重に避けることができるからである。そのようなタブは、つまんでから、粘着剤物品が貼り付けられている基材および表面に対して、４５度から直角の方向に引っ張るのが好ましいが、もしその表面が剛直でないならば（たとえば皮膚）、その角度をほとんどゼロ（すなわち、実質的には粘着剤が付いている平面）まで小さくしてもよい。そうすることによって、たとえば、創傷ドレッシングのガーゼパッドがまず傷つきやすい創傷の中央部分から離れるので、典型的には、創傷の上をこすることが避けられる。さらに、ドレッシングを剥がす時に生ずる穏やかな圧力が、創傷を閉じた状態に維持するよう働く。除去するさいに従来からのドレッシングでは創傷を裂く方向に働いていたのを、避けることが可能となったのは好ましいことである。タブを使用した物品や除去方法は、創傷ドレッシングの粘着テープの「翼（ｗｉｎｇ）」の一端の下を掘り起こして、一端から他端へとはぎ取っていくことをせずに済むようになる点で、好都合である。痛みが発生するのは典型的には、指の爪で体毛または皮膚を掘り起こすこと、剥がす動作の間にドレッシングの粘着剤に貼り付いた体毛がむしりとられること、および創傷の縁が剥がされることなどの結果である。
【００８３】
望ましいことには、不快で、ひょっとすると敗血性またはウイルスを含む創傷からの滲出物を、除去の際につまんで包み込むことで見ずにすませ、その結果、ドレッシングを半分の幅に折りたたんで、中に滲出物を入れたまま粘着させてしまうことができる。この除去のための動作は、片手ですることができる。この方法は、手早く、清潔で、穏やかで、通常は痛みを伴わないので、特に子供や老人には適している。
【００８４】
このタブ（すなわち、ハンドル）は、たるんだり引っかけたりしてその粘着剤物品がたとえば思いがけずに早く剥がれてしまうことがないように、そして、本発明の効果をあげるためにはどちらの方向に引っ張るのよいのかが判るように、設計するのが好ましい。このタブは、１カ所に恒久的にそして１つまたは複数の場所に一時的に固定するか、あるいはドレッシングの他の部分を利用して製造の際に同時に作るかするのが好ましい。タブの一部を一時的に固定するのは、たるみや引っかけをなくすためである。このタブに色を付けてその所在を示すこともでき、また、効果的に痛みを伴わずに除去するためにはどちらに引っ張ればよいかを矢印で示すこともできる。さらに、そのような扱い方を包装や、その医療用物品が入っている箱の上に示しておくこともできる。
【００８５】
各々の用途に応じて、粘着物品のタブは、除去するのに都合がよいような各種の位置に取り付けることができる。たとえば、１つの好ましい実施形態においては、医療用物品を比較的たるんだ皮膚、たとえば前腕の上部に貼り付けるように設計する。この実施形態においては、タブの取り付け位置は一般に、中央のガーゼパッドを対称的にまたぐようにし、ドレッシングの長さ方向の中央にする。他の好ましい実施形態においては、医療用物品を比較的張りつめた皮膚、たとえば手のひらに貼り付けるように設計する。この実施形態においては、タブの取り付け位置はパッドの幅の中央にするが、物品の長さ方向では真ん中からは外すのが好ましい（それでも粘着剤物品の中央部分の中ではあるが）。
【００８６】
図４〜９を参照すると、各種の創傷ドレッシングの好ましい実施形態（たとえば、約１．９ｃｍ×７．６ｃｍ）が示されているが、それらには、支持体（たとえば、ジョージア州ゲーンズビル（Ｇａｉｎｅｓｖｉｌｌｅ、ＧＡ）のポリマー・グループ社（Ｐｏｌｙｍｅｒ  Ｇｒｏｕｐ  Ｉｎｃ．）から入手可能なＰＧＩ６０１２コンフォート・シルク・フィルム（Ｃｏｍｐｆｏｒｔ  Ｓｉｌｋ  Ｆｉｌｍ））、粘着剤層（たとえば、実施例のところに記載する粘着剤Ａ）、および中央のガーゼパッド材料（たとえば、大きさが約１．３ｃｍ×２．５ｃｍで、１０８グラム／平方メートルの吸収性レーヨン不織材をデラウェア州ミドルタウン（Ｍｉｄｄｌｅｔｏｗｎ、ＤＥ）のアプライド・エクストルージョン・テクノロジーズ（Ａｐｐｌｉｅｄ  Ｅｘｔｒｕｓｉｏｎ  Ｔｅｃｈｎｏｌｏｇｉｅｓ）から市販されているＰ５３０Ｓデルネット（ＤＥＬＮＥＴ）で両側を積層したパッド）などが含まれている。各々の実施態様で、異なったタブの構成を示している。
【００８７】
図４を参照すると、好適な創傷ドレッシングの支持体４０が示され、それには支持体４０の反対側に位置するガーゼパッド４２（点線で示す）とタブ４４とが付随している。このタブ４４は、細ひも（ｓｔｒｉｎｇ）、ひも（ｔｈｒｅａｄ）、またはポリマーリボンフィルム（たとえば、シルケット縫製ひも）であって、パッド４２とは反対側の表面において支持体４０に、好ましくは支持体の一方から他方まで狭い寸法（すなわち幅）で横切っている粘着剤４６（たとえば、エポキシ）のビーズを用いて固定されている。このひもの形状のタブ４４は、この支持体４０の長さ方向での中央に取り付けられているところが示されている。所望であれば、これとは異なって、それを支持体４０の長さ方向での中央からは外れた位置に取り付けてもよい。
【００８８】
図５を参照すると、「Ｔの字」のような形のタブ５４は薄いポリエステルまたはその他のフィルムから作ることができ、下または一体となった粘着剤を用いて、支持体５０の幅の方向に、Ｔの形の上部が固定されている。図５に示したＴ字形は０．５ミル（１２．５ミクロン）のポリエステルフィルムでできていて、Ｔの横断している部分（横棒）５５の長さが１３ｍｍで、その横棒の幅がそれぞれ２ｍｍである。Ｔ字形の５５の部分は、パッドの長さ方向のほぼ中央に位置していて、これを支持体５０に接着剤（たとえば、ミネソタ州セントポール（Ｓｔ．Ｐａｕｌ、  ＭＮ）の３Ｍ社（３Ｍ  Ｃｏｍｐａｎｙ）から、、商品名スーパー・ストレングス・アドヘーシブ（ＳＵＰＥＲ  ＳＴＲＥＮＧＴＨ  ＡＤＨＥＳＩＶＥ）として市販されている接着剤）を用いて恒久的に接合する。所望によっては、これとは異なって、Ｔ字形の５５の部分を支持体５０の長さ方向で中央からは外れた位置に取り付けてもよい。Ｔ字形の５６の部分は、種々な長さとすることができるが、好ましくは、つかみ易くするために少なくとも約７ｍｍとし、これを支持体５０に対して粘着剤（たとえば、３Ｍ社から、商品名スコッチ・リスティッカブル・アドヘーシブ（ＳＣＯＴＣＨ  ＲＥＳＴＩＣＫＡＢＬＥ  ＡＤＨＥＳＩＶＥ）グルー粘着剤として入手可能な粘着剤）を使用して仮止めして、非恒久的に接合する。
【００８９】
図６を参照すると、このタブ６４は、材料（たとえば、ひも）を環状にしたもの（四角形でも円でもよい）の半分で、その開いている部分を支持体６０の長さ方向の中央部分に固定し、環の残りはその下のガーゼパッド６２をまたぐようにする。所望であれば、これとは異なって、半環状のタブ６４を支持体６０の長さ方向で中央からは外れた位置に取り付けてもよい。この実施形態においては、タブ６４の材料はひもであって、ガーゼパッド６２と支持体６０の間で支持体に（たとえば、３Ｍ社のスーパー・ストレングス・アドヘーシブ（ＳＵＰＥＲ  ＳＴＲＥＮＧＴＨ  ＡＤＨＥＳＩＶＥ）を使用して）恒久的に接着させておくことが可能であるが、その際、そのひもが（点線６３に示したように）創傷には触れないようにしておく。この半環状の形態のタブ６４は、この粘着剤物品を除去するときまでは、一時的に支持体６０に粘着させておくこともできる（たとえば、スコッチ・リスティッカブル・アドヘーシブ（ＳＣＯＴＣＨ  ＲＥＳＴＩＣＫＡＢＬＥ  ＡＤＨＥＳＩＶＥ）グルー粘着剤を使用）。これらの環状の形態のタブをパッドと支持体の間に通しておけば、崩れやすい支持体と粘着剤を使用してときに、力を分散させるのに役立つ。このような使用法の場合には、創傷からの滲出物がドレッシングからしみ出すのを避けるために、それらを粘着剤で完全に含浸させておくのがよい。
【００９０】
図７を参照すると、タブ７４は四角形または円の形の半環の材料（たとえば、０．５ミル（１２．５ミクロン）のポリエステルフィルム）であって、その開いた端部を支持体７０の幅いっぱいで固定し、その余った環をその下のガーゼパッド７２をまたがらせるが、ただし、パッド７２の端に位置させる。タブ７４の端部７３（斜線部分）は、支持体７０に恒久的に接着し（たとえば、３Ｍ社のスーパー・ストレングス・アドヘーシブ（ＳＵＰＥＲ  ＳＴＲＥＮＧＴＨ  ＡＤＨＥＳＩＶＥ）を使用）、そして、残りは、この粘着剤物品を除去するときまでは、支持体７０に一時的に粘着させておくことができる（たとえば、スコッチ・リスティッカブル・アドヘーシブ（ＳＣＯＴＣＨ  ＲＥＳＴＩＣＫＡＢＬＥ  ＡＤＨＥＳＩＶＥ）グルー粘着剤を使用）。
【００９１】
図８を参照すると、タブ８４は四角の形状をしてフィルム（たとえば、０．５ミル（１２．５ミクロン）のポリエステルフィルム）で、下層のガーゼパッド８２を囲んでいる。このタブ８４は、１つの辺８３（斜線を入れた辺）に沿って、恒久的に接着されていて（たとえば、３Ｍ社のスーパー・ストレングス・アドヘーシブ（ＳＵＰＥＲ  ＳＴＲＥＮＧＴＨ  ＡＤＨＥＳＩＶＥ）を使用）、この四角形のタブ８４の一部が支持体に付着しているのに対し、他の部分は持ち上げられる。このタブが、支持体の一部に切れ目を入れたたとえば半月の形状のタブで、指の爪で容易につまむことができるようにしてあってもよい。
【００９２】
図９を参照すると、タブ９４は支持体９０から形成された断面の中に示されていて、これはたとえば、粘着剤塗布の前後いずれでもよいが、製造時に支持体の中に折曲部を作ることにこの形にすることができる。この実施形態においては、この折曲部は粘着剤９８を付着させた後で作られたもので、そのためにタブ９４の中に粘着剤が入っている。
【００９３】
図９Ａは、また別の１つのタブ構成の斜視図であって、ここでは折りたたんだタブ９４’が支持体９０’の中に２つの折曲線９３’および９５’を作ることによって、形成されている。図示されているタブ９４’は、図９Ａに図示されているように、支持体９０’の上に粘着剤９８’を載せた後に形成してもよい。この折曲部によるタブ９４’は、除去する時まではタブ９４’を保持する目的で、外側の折曲線９５’に近接した支持体９０の残りの部分に固定しておくのが好ましい。タブ９４’を、外側の折曲線９５’に近接した支持体９０’の幅を横切って、取付線（ｌｉｎｅ  ｏｆ  ａｔｔａｃｈｍｅｎｔ）９６’に沿って支持体９０’に固定するのが好ましい。さらに、タブ９４’を取付線９２’に沿って、基部の折曲線９３’に近い支持体９０’に固定してもよい。
【００９４】
取付線を「線」として示してはあるが、それらはこの図に示して線に沿って位置する、取付のための不連続な点として設けてあってもよいことは理解されたい。さらに別な方法においては、取付のための不連続な点がタブ９４’の実質的に全面に散らばっていてもよい。さらに他の方法においては、実質的にタブ９４’の全体が支持体９０に固定されていてもよい。しかしながら、いずれの場合においても、外側の折曲線９５’に近いタブ９４’の一部は支持体には固定せずにおいて、除去したい時につまんでタブ９４’を容易に剥がせるようにしておくのが好ましい。
【００９５】
この取付線は、各種の形態とすることができる。図示されているように、基部の折曲線９３’に近い取付線９２’および外側の折曲線９５’に近い取付線９６’は、複数の超音波で形成させた穿孔の形態であってもよい。複数の超音波で形成させた穿孔の使用に代わる各種の方法は当業者のよく知るところであり、それにはたとえば、粘着剤、超音波溶接、穿孔、化学的溶接などがあるが、これらに限定される訳ではない。
【００９６】
外側の折曲線９５’に近い取付線は、外側の折曲線９５’から基部の折曲線９３’の方向に、望む時にタブ９４’を剥がすことを可能とするに充分な距離をとっておくが、ただし、通常の使用時に不用意にタブ９４’が剥離してしまうようなことが無いように、外側の折曲線９５’からあまり遠くにしてはならない。たとえば、タブ９４’が取付線９６’をすぎて約１ミリメートル（ｍｍ）先まで存在するのが望ましい。
【００９７】
基部の折曲線９３’に近い取付線９２’は、基部の折曲線９３’のちょうど上か、あるいは、基部の折曲線９３’から外側の折曲線９５’の方向に少し入ったところに位置しているのが好ましい。取付線９２’をこの位置にすることによって、基部の折曲線９３’の形成を支えるとともに、支持体９０’に対するタブ９４’の固定に役立つ。
【００９８】
図９Ｂには、本発明による物品に関連して、支持体９０”にタブ９４”を固定するためのまた別な形態を示している。図示されている実施形態（平面図）において、タブ９４”は、タブ９４”の両端に位置する取付線９２”および９６”によって支持体の縁に固定することができる。所望であれば、タブ９４”の基部に沿ってさらなる取付線を設けることもできる（先に図９Ａのところで記述した取付線９２’と同様）。このようなタブ９４”の固定方法では、タブ９４”の剥離に使用できるような、支持体９０”とタブ９４”から作ったポケットを設けることも望ましい。
【００９９】
図１０および１１には、実施例の項において実施例１Ｃに記載するようなテープ構成からなる２種類の創傷ドレッシング構成を示しているが、この中央のパッド１０６の材料は、１０８グラム／平方メートルの吸収性レーヨン不織材をデラウェア州ミドルタウン（Ｍｉｄｄｌｅｔｏｗｎ、ＤＥ）のアプライド・エクストルージョン・テクノロジーズ（Ａｐｐｌｉｅｄ  Ｅｘｔｒｕｓｉｏｎ  Ｔｅｃｈｎｏｌｏｇｉｅｓ）から市販されているＰ５３０Ｓデルネット（ＤＥＬＮＥＴ）で両側を積層したものである。タブ１０２および１０３は、３ｍｍ幅の配向ポリプロピレンフィルムで、ミネソタ州セントポール（Ｓｔ．Ｐａｕｌ、  ＭＮ）の３Ｍ社（３Ｍ  Ｃｏｍｐａｎｙ）からプロポア（ＰＲＯＰＯＲＥ）ＫＮ９４００フィルムとして市販されているものである。
【０１００】
図１０および１１において支持体は、その末端がタブ１０２および１０３の形で非粘着性の部分となっている、粘着剤をコーティングした１００および１０１の２枚の小片の形態であってよく、それらは、ガーゼパッド１０６を覆って互いに重なりあっていてもよいし（図１０）、そうでなくてもよい（図１１）。各々の末端が、支持体の小片１００および１０１のそれぞれで、タブ１０２および１０３となっている。図１０に示した実施形態を参照すると、たとえば物品を除去するためには、まずタブ１０２を外側の方向（すなわち、タブ１０３から遠い方）へ約１０度の角度で引いて、粘着剤をパッド１０６の上の支持体小片１０１から剥離し、さらに支持体小片１００を皮膚から除去する。支持体小片１００を除去した後に、パッド１０６を下へ折り畳んで、支持体小片１０１を、除去した支持体小片１００の存在していた方向に引張ることによって除去するための、ハンドルを形成させることができる。別な方法として、パッド１０６を折り畳む代わりにタブ１０３をつまむこともできる。
【０１０１】
これらの記述が、タブの形状のすべてであるとするつもりはなく、粘着剤物品の中央の位置で引張るためにはその他のタブ構成も使用することができる。
【０１０２】
上述の好ましい創傷ドレッシングのいくつかでは、引張性のあるガーゼパッドを使用するのが有用である。引張性のあるガーゼパッドは、引張性のないパッドよりも、変形可能なテープ構成に対して粘着したままの状態を保ち、引張性のあるパッドを使用した場合には、その引張除去挙動を、ドレッシングの一方の端から他端まで伝える。これは、ドレッシングの幅のほとんどを占めるような島状（ｉｓｌａｎｄ）パッドを用いた場合には、特にあてはまる。
【０１０３】
吸収剤粒子およびその他の添加剤
本発明の粘着剤物品の湿った皮膚への粘着特性は、吸収剤粒子状物質により与えることができ、典型的には粉末またはそれより大きな粒子の形態で、本明細書では繊維もまた一般に粒子状物質または粒子と見なしてこれに含める。この粒子の形状は、たとえば、球状、フレーク状、伸長物状、不規則形状など、どのような形状であってもよい。この粒子状物質は、支持体基材全体に均等に分散させるか、または支持体の主表面のいずれの側にでもコーティングすることができる。湿った皮膚への粘着性を所望のレベルに使用とすれば、支持体基材中または上に充分な量の吸収剤粒子状物質が存在させる。
【０１０４】
この粒子状物質は充分な吸水性を有していて、その物品の湿った皮膚への充分な粘着性、好ましくは少なくとも約２０ｇ／２．５ｃｍ（０．０８Ｎ／ｃｍ）を与える。この粒子状物質が高吸水性材料であるのが好ましい。好適な高吸水性材料粒子は、自重の少なくとも約５０倍の水を吸収することができるようなポリマーから製造する。好適な高吸水性材料粒子状物質は、カルボキシメチルセルロースおよびそのナトリウムおよびカリウム塩、ヒドロキシメチルセルロース、ヒドロキシエチルセルロース、ポリ（アクリルアミド）、ポリアクリル酸およびそのナトリウムおよびカリウム塩、アルギネート、およびデンプングラフトコポリマーたとえばアクリレート類およびアクリルアミドおよびそれらの塩などから調製することができる。そのような材料の例は米国特許第５，０６４，６５３号明細書（セッションズ（Ｓｅｓｓｉｏｎｓ）ら）に開示されている。高吸水性材料粒子が好ましくはあるが、その他の吸収剤粒子も所望であれば使用することができ、そのようなものとしては、たとえば、ゼラチン、多糖類、ペクチン、ガーゴム、キサンタンゴム、カラヤゴムなどのゴム類などが挙げられる。
【０１０５】
支持体および／または粘着剤中に加えることが可能なその他の添加剤の例としては、たとえば、活性炭のような脱臭剤、グルコン酸クロルヘキシジンのような薬剤、生物活性薬剤、化粧用薬剤などが挙げられ、それらは粒子状物質の形態で存在させるか、カプセル化剤に組み込むことができる。
【０１０６】
粘着剤および／または支持体にはさらに、画像（たとえば、文字または絵）の形態で染料系または顔料系のインクを含むこともできる。粘着剤層には、除去して層剥離させた時に目に見えるような画像を加えておくのが好ましい。この画像は、たとえばインクジェット印刷、電子写真、スクリーン印刷など広い範囲の各種の従来からの技術を用いて、塗布することができる。
【０１０７】
先細にした構成
先に「課題を解決するための手段」のところで説明したように、表面たとえば、皮膚に対する物品の剥離性能を調節するためには、支持体および粘着剤の部分を先細にするのが好都合である。先細にした末端部分を有する引張除去可能な粘着剤物品について各種説明する実施形態を以下に示すが、本発明は以下に示す特定の例だけに限定されるものではないことは理解されたい。
【０１０８】
図１２に、引張除去可能な粘着剤物品、好ましくは引張除去可能な医療用粘着剤物品を説明する１つの実施形態を示す。この物品２００には、中央部分２１０と１対の両側の末端部分２２０ａおよび２２０ｂ（便宜上以下においては、特に断らない限り、この末端部分２２０ａおよび２２０ｂを末端部分２２０と総称することとする）。この物品２００には任意に、先に述べたように、この中央部分２１０の内側にパッド２１２を位置させることができる。
【０１０９】
両側の末端部分２２０は、それぞれ、先端２２６に向かって先細になっている。末端部分２２０には２つの両側の縁部２２２および２２４があり、先端２２６に至っている。この両側の縁部２２２および２２４は、図１２に示したように直線であるのが好ましい。それとは別に、この縁部２２２および２２４が曲線状その他直線ではない形状となっていてもよい。たとえば、縁部２２２および２２４が凸型、凹型あるいは他の形状であってもよい。
【０１１０】
両側の縁部２２２および２２４の正確な形状がどのようになっていたとしても、それらによって一般に図１２に示したように、夾角α（アルファ）が形成されている。たとえば、両側の縁部２２２および２２４が曲線になっているような場合には、この夾角は縁部２２２および２２４に対する正接線に沿って測定すればよい。夾角α（アルファ）を約９０度以下として、末端部分２２０で所望のテーパー比になるようにするのが好ましい。その比の下限としては、夾角α（アルファ）を約３０度以上として、所望の表面に対する末端部分２２０の粘着性を保持するのに充分は表面積をその末端部分に備えてやるのが好ましい。
【０１１１】
物品２００においては、末端部分２２０が支持体の中央部分２１０に直接つながっている。中央部分２１０の幅、およびそれに従って末端部分２２０の最大幅は、所望の剥離特性が得られるように調節すればよい。そのような配置においては、中央部分２１０の幅（長手方向の軸線２２１に対して垂直に測定して）を、中央部分と末端部分２２０の連結部において、約３０ミリメートル（ｍｍ）以下とするのが好ましい。また別の場合においては、連結部における中央部分２１０の幅を約２５ｍｍ以下とするのも好ましい。この範囲の下限としては、中央部分と末端部分２２０の連結部において、中央部分２１０の幅を約１０ミリメートル（ｍｍ）以上とするのが好ましい。また別の場合においては、連結部における中央部分２１０の幅を約１５ｍｍ以上とするのも好ましい。
【０１１２】
たとえば図９、９Ａおよび９Ｂを参照した場合、医療用物品２００に関連して設けられたすべての折曲部によるタブは、物品２００の中央部分２１０の中の長手方向の軸線２２１とは一致しないような折曲線とするのが好ましい。基部の折曲線のための折曲線の軸線の１例として、折曲軸線２９３を、図１２に示しているが、これは一般に物品２００の長手方向の軸線２２１に対して垂直とする。
【０１１３】
図１３に、本発明による引張除去可能な粘着剤物品のまた別の実施形態を示す。この引張除去可能な粘着剤物品３００には、図示されている実施形態においては、任意材料のパッド３１２を含む、中央部分３１０がある。このパッド３１２は８角形をしているが、ただし、このパッド３１２は、引張除去可能な粘着剤物品３００の用途に適しているのならどのような形状であってもよい。この物品３００には２対の両側の末端部分３２０ａ、３２０ｂ、３２０ｃ、３２０ｄがある（便宜上以下においては、特に断らない限り、これら末端部分のすべてを末端部分３２０と総称することとする）。
【０１１４】
末端部分３２０はすべて、引張除去可能な粘着剤物品３００の中央部分３１０から外側に延在している。末端部分３２０ａを参照すると、末端部分３２０のそれぞれは、引張除去可能な粘着剤物品３００の中央部分３１０と脚部分３３０で連結されていて、図示された実施形態においては、その脚部分には実質的に平行な２つの側縁部３３２および３３４がある。その末端部分３２０ａと３２０ｃは、両側の末端部分の各々の先端を通る共通軸線３２１に沿って互いに反対側にある。同様にして、末端部分３２０ｂと３２０ｄは、両側の末端部分の各々の先端を通る共通軸線３２３に沿って互いに反対側にある。
【０１１５】
この２本の共通軸線３２１と３２３は、引張除去可能な粘着剤物品３００の中央部分３１０の内部で互いに交差している。それらの交点においては、引張除去可能な粘着剤物品３００に関して言えば、両側の末端部分が２対だけしか存在しないので、共通軸線３２１と３２３は実質的にたがいに直交する。
【０１１６】
他の実施形態においては、共通軸線が直交しないこともあり得る。たとえば、共通軸線３２１と３２３が２対の等しい対頂角を形成するのが好ましい。このような場合、小さい方の対頂角の対が約４５度以上であるのが好ましい。
【０１１７】
図１２における物品２００とは異なり、この末端部分３２０は、支持体の中央部分３１０に対して、脚部分３３０によってつながっている。その結果、脚部分３３０の幅、従って、末端部分３２０の最大幅は、所望の剥離特性が得られるように調節することができる。このような配置においては、脚部分３３０の幅（共通軸線に垂直な方向に測定）は、脚部分３３０と末端部分３２０の連結部において、約３０ミリメートル（ｍｍ）以下とするのが好ましい。また別の場合においては、連結部における脚部分３３０の幅を約２５ｍｍ以下とするのも好ましい。この範囲の下限としては、脚部分３３０と末端部分３３０の連結部において、脚部分３３０の幅を約１０ミリメートル（ｍｍ）以上とするのが好ましい。また別の場合においては、連結部における脚部分３３０の幅を約１５ｍｍ以上とするのも好ましい。脚部分および末端部分の幅に関するこれらの寸法は、本発明の他の実施形態、たとえば以下の図１４〜１７に関連して説明する実施形態にも適用することができる。
【０１１８】
たとえば図９、９Ａおよび９Ｂを参照した場合、医療用物品３００に関連して設けられたすべての折曲部によるタブは、共通軸線３２１および３２３のいずれとも一致しないような折曲線から作られるのが好ましい。そのようなタブすべての基部の折曲線が、図１３に示されているような交点で、共通軸線３２１および３２３と交差しているようにすれば、さらに好ましい。さらに、２対の両側の末端部分３２０を含む医療用物品３００の場合には一般に、基部の折曲線で、共通軸線３２１と３２３の交点で形成される１対の対頂角を二分されるようにするのが好ましい。折曲軸線３９３を図１３に示しているが、これは、共通軸線３２１と３２３の交点においてそれらと交差し、かつ、共通軸線３２１と３２３の交差により形成される１対の対頂角を二分している、基部の折曲線のための折曲線軸線の１例である。
【０１１９】
図１４に、本発明によるまた別の実施形態である、引張除去可能な粘着剤物品４００を示す。引張除去可能な粘着剤物品４００には中央部分４１０とその中に任意材料のパッド４１２が含まれる。この引張除去可能な粘着剤物品４００にはさらに、２対の両側の末端部分４２０ａ、４２０ｂ、４２０ｃ、４２０ｄがある（便宜上以下においては、特に断らない限り、これら末端部分のすべてを末端部分４２０と総称することとする）。
【０１２０】
末端部分４２０はすべて、引張除去可能な粘着剤物品４００の中央部分４１０から外側に延在している。末端部分４２０ａを参照すると、末端部分４２０のそれぞれは、引張除去可能な粘着剤物品４００の中央部分４１０と脚部分４３０で連結されていて、図示された実施形態においては、その脚部分には実質的に平行な２つの側縁部４３２および４３４がある。
【０１２１】
その末端部分４２０ａと４２０ｄは、両側の末端部分の各々の先端を通る共通軸線４２１に沿って互いに反対側にある。同様にして、末端部分４２０ｂと３２０ｃは、両側の末端部分の各々の先端を通る共通軸線４２３に沿って互いに反対側にある。図１３に示した共通軸線とは異なって、共通軸線４２１と４２３は、引張除去可能な粘着剤物品４００の中央部分４１０では交差していない。むしろ、共通軸線４２１と４２３は、互いに並んだ形になっている。共通軸線４２１と４２３とが平行であれば好ましいが、その様な配置が必須であるという訳ではない。
【０１２２】
たとえば図９、９Ａおよび９Ｂを参照した場合、医療用物品４００に関連して設けられたすべての折曲部によるタブは、末端部分４２０の対向する対を結ぶ共通軸線４２１および４２３のいずれとも一致しないような折曲線とするのが好ましい。そのようなタブのすべてにおいて基部の折曲線が一般に、共通軸線４２１および４２３に垂直であればさらに好ましい。折曲軸線４９３を図１４に示したが、これは物品４００の共通軸線４２１および４２３に一般に垂直な、基部の折曲線の軸線の１例である。
【０１２３】
図１５に、本発明によるまた別の実施形態である、引張除去可能な粘着剤物品５００を示す。引張除去可能な粘着剤物品５００には中央部分５１０とその中に任意材料のパッド５１２が含まれる。この引張除去可能な粘着剤物品５００にはまた、２対の両側の末端部分５２０ａ、５２０ｂ、５２０ｃ、５２０ｄが含まれている。引張除去可能な粘着剤物品４００および引張除去可能な粘着剤物品５００と違いは、物品５００の中央部分が弓形あるいは曲線の側縁部を有している点である。
【０１２４】
図１６に、本発明によるまた別の実施形態である、引張除去可能な粘着剤物品６００を示す。引張除去可能な粘着剤物品６００には中央部分６１０とその中に任意材料のパッド６１２が含まれる。この引張除去可能な粘着剤物品６００にはまた、中央部分６１０を挟んだ両側に、複数の両側の末端部分６２０の対が含まれている。この実施形態を除去するのは、物品６００の長さ方向に沿って、末端部分６２０の対向する対を連続的に引張ることによって行うことができる。末端部分６２０の対向する対を、中央部分６１０を横切って配置してあるところを図に示しているが、両側の末端部分の対が、中央部分６１０を横切ったところから外れたところにあってもよいことは理解されたい。
【０１２５】
たとえば図９、９Ａおよび９Ｂを参照した場合、医療用物品６００に関連して設けられたすべての折曲部によるタブは、末端部分６２０の対向する対を結ぶ共通軸線のいずれとも一致しないような折曲線とするのが好ましい。そのようなタブのすべてにおいて基部の折曲線が一般に、末端部分６２０の対向する対の共通軸線に垂直であればさらに好ましい。
【０１２６】
図１７には１つの末端部分７２０とそれに付随した脚部分７３０を示すが、この脚部分は引張除去可能な粘着剤物品（図示せず）の中央部分に取り付けるのに使用されるものである。この末端部分７２０には、先端７２６、ならびにその先端７２６に続く２つの縁部７２２および７２４が含まれる。図１７に見られるように、この先端７２６には丸みがつけてあって、表面から不用意に剥がれたりしにくいようにしておくのが好ましい。
【０１２７】
さらに図１７に示されているように、長手方向の軸線７２１は先端７２６を通って延在している。他端では、この長手方向の軸線は、引張除去可能な粘着剤物品の中央部分を通って延在している（たとえば図２および３参照）。図１７に示されているようにこの長手方向の軸線が、縁部７２２と７２４の間の夾角を二分しているのが好ましいが、それが必須という訳ではない。
【０１２８】
先に説明したように、この縁部７２２および７２４が、図１７に示したような直線であってもよいが、それに変えてその他の形態、たとえば、凸型曲線、凹型曲線、複数の直線および／または曲線部分などになっていてもよい。先端７２６に向けて集中して、上述の所望の剥離特性を与えるものでありさえすれば、縁部７２２および７２４の細かな形状はさほど重要なことではない。
【０１２９】
末端部分７２０の先細になる特性を表現する１つの方法は、長手方向の軸線７２１に沿った各所における末端部分の幅を用いることができる。特に断らない限り、幅はすべて、長手方向の軸線７２１に対して垂直に測定するものとする。この末端部分７２０の最大幅ｗｍは脚部分７３０との連結部であって、その脚部分の幅はｗｌである。図１７に見られるように、この脚部分の幅と末端部分の最大幅は等しいが、必ず等しくなければならないという訳ではない。
【０１３０】
図１７にさらに見られるように、セットバック幅ｗｓは、長手方向の軸線７２１に沿ったセットバック距離ｄｓの点で測定する。このセットバック幅と末端部分７２０の最大幅を使用することで、末端部分の先細を特徴づけることができる。たとえば、セットバック距離を約５ミリメートル（ｍｍ）とするのが好ましい。セットバック距離をその数値にとった場合、セットバック幅（ｗｓ）を約１０ｍｍ以下、あるいは約８ｍｍ以下とするのが好ましい。その範囲の下限としては、セットバック幅を約２．５ｍｍ以上、あるいは約６ｍｍ以上とするのが好ましい。
【０１３１】
末端部分７２０の先細になる特性を表現するまた別の方法は、セットバック距離をその末端部分７２０の最大幅を基準に決めるのが好ましく、たとえば、セットバック距離（ｄｓ）を、末端部分７２０の最大幅（ｗｍ）の約２５％となるようにする。セットバック距離をその数値にとった場合、セットバック幅（ｗｓ）を、末端部分７２０の最大幅の約６０％以下、あるいは、末端部分７２０の最大幅の約４５％以下とするのが好ましい。その範囲の下限としては、セットバック幅を末端部分７２０の最大幅の約１０％以上、あるいは末端部分７２０の最大幅の約３０％以上とするのが好ましい。
【０１３２】
本明細書に引用した、特許、特許書類および公刊物の開示の全体を、それぞれを個々に援用したごとくに、そのすべてを参照として本明細書に援用するものとする。本発明の範囲と精神を逸脱することなく、本発明に加える各種の修正や変更は、当業者には明白であろう。本明細書において言及した実施形態および実施例によって本発明が不当に限定されるものではなく、また、そのような実施例および実施形態は単に例示として示したに過ぎず、本発明の範囲は本明細書において特許請求の範囲によってのみ限定されることを理解すべきである。
【図面の簡単な説明】
【０１３３】
【図１】本発明の粘着テープの横断面の拡大側面図であって、これには、引張っていない位置にある、任意に穿孔した、支持体が含まれている。
【図２】粘着剤を有する粘着テープを引張って、基材から離れ支持体から層剥離し始めたときの、横断面の拡大側面図である。
【図３】本発明の救急ドレッシングの横断面の拡大側面図であって、これには、ガーゼパッドの近くに穿孔を有する穿孔した支持体が含まれているが、その支持体が破れて粘着剤が引張られ、基材および支持体のいずれからも離れ始めているところである。
【図４】各種のタイプのタブを有する本発明の粘着剤物品の実施形態を表した図である。
【図５】各種のタイプのタブを有する本発明の粘着剤物品の実施形態を表した図である。
【図６】各種のタイプのタブを有する本発明の粘着剤物品の実施形態を表した図である。
【図７】各種のタイプのタブを有する本発明の粘着剤物品の実施形態を表した図である。
【図８】各種のタイプのタブを有する本発明の粘着剤物品の実施形態を表した図である。
【図９】各種のタイプのタブを有する本発明の粘着剤物品の実施形態を表した図である。
【図１０】各種のタイプのタブを有する本発明の粘着剤物品の実施形態を表した図である。
【図１１】各種のタイプのタブを有する本発明の粘着剤物品の実施形態を表した図である。
【図１２】先細にした末端部分を有する本発明による１つの医療用物品の平面図である。
【図１３】２対の両側の先細にした末端部分を有するまた別の本発明による医療用物品の平面図である。
【図１４】２対の両側の先細にした末端部分を有するまた別の本発明による医療用物品の平面図である。
【図１５】２対の両側の先細にした末端部分を有するまた別の本発明による医療用物品の平面図である。
【図１６】複数対の両側の先細にした末端部分を有するまた別の本発明による医療用物品の平面図である。
【図１７】本発明による物品に組み合わせるのに有用な１つの先細にした末端部分の図である。
【国際公開パンフレット】
2005507270.tif 000003
2005507270.tif 000004
2005507270.tif 000005
2005507270.tif 000006
2005507270.tif 000007
2005507270.tif 000008
2005507270.tif 000009
2005507270.tif 000010
2005507270.tif 000011
2005507270.tif 000012
2005507270.tif 000013
2005507270.tif 000014
2005507270.tif 000015
2005507270.tif 000016
2005507270.tif 000017
2005507270.tif 000018
2005507270.tif 000019
2005507270.tif 000020
2005507270.tif 000021
2005507270.tif 000022
2005507270.tif 000023
2005507270.tif 000024
2005507270.tif 000025
2005507270.tif 000026
2005507270.tif 000027
2005507270.tif 000028
2005507270.tif 000029
2005507270.tif 000030
2005507270.tif 000031
2005507270.tif 000032
2005507270.tif 000033
2005507270.tif 000034
2005507270.tif 000035
2005507270.tif 000036
2005507270.tif 000037
2005507270.tif 000038
2005507270.tif 000039
2005507270.tif 000040
2005507270.tif 000041
2005507270.tif 000042
2005507270.tif 000043
2005507270.tif 000044
2005507270.tif 000045
2005507270.tif 000046
2005507270.tif 000047
2005507270.tif 000048
2005507270.tif 000049
2005507270.tif 000050
2005507270.tif 000051
2005507270.tif 000052
2005507270.tif 000053
2005507270.tif 000054
2005507270.tif 000055
2005507270.tif 000056
2005507270.tif 000057
2005507270.tif 000058
2005507270.tif 000059
2005507270.tif 000060
2005507270.tif 000061
2005507270.tif 000062
【国際調査報告】
2005507270.tif 000063
2005507270.tif 000064
2005507270.tif 000065